(57)【要約】      （修正有）【課題】補助光を好適に制御することができる発光制御装置および撮影装置を提供する。【解決手段】少なくとも１つの発光装置を含む複数の発光装置グループのそれぞれに対して、光を用いた通信を行うか、電波を用いた通信を行うかを決定する決定部と、決定部により光を用いた通信を行うことが決定された発光装置グループに対して、光を用いた通信を行うように制御を行い、決定部により電波を用いた通信を行うことが決定された発光装置グループに対して、電波を用いた通信を行うように制御を行う制御部と、を備える発光制御装置。【選択図】図１
2020073974.tif 000002
【特許請求の範囲】
【請求項１】
少なくとも１つの発光装置を含む複数の発光装置グループのそれぞれに対して、光を用いた通信を行うか、電波を用いた通信を行うかを決定する決定部と、
前記決定部により光を用いた通信を行うことが決定された前記発光装置グループに対して、光を用いた通信を行うように制御を行い、前記決定部により電波を用いた通信を行うことが決定された前記発光装置グループに対して、電波を用いた通信を行うように制御を行う制御部と、
を備える発光制御装置。
【請求項２】
請求項１に記載された発光制御装置において、
前記決定部により光を用いた通信を行うことが決定された前記発光装置グループに対して、光を用いた通信で第１制御情報を送信する第１通信部と、
前記決定部により電波を用いた通信を行うことが決定された前記発光装置グループに対して、電波を用いた通信で第２制御情報を送信する第２通信部と、
を備える発光制御装置。
【請求項３】
請求項２に記載の発光制御装置において、
前記第１制御情報および前記第２制御情報は、前記発光装置に対する撮影補助光の発光指示を含み、
前記制御部は、撮影指示を受けてから、前記第１通信部からの前記第１制御情報の送信と、前記第２通信部からの前記第２制御情報の送信とを行わせる発光制御装置。
【請求項４】
請求項３に記載の発光制御装置において、
前記制御部は、前記第１通信部から予備発光を指示する前記第１制御情報を送信させた後に、前記第２通信部から予備発光を指示する前記第２制御情報を送信させる発光制御装置。
【請求項５】
請求項２から４の何れか一項に記載の発光制御装置において、
前記第２通信部は、前記第２制御情報を複数回繰り返し送信する発光制御装置。
【請求項６】
請求項２から５の何れか一項に記載の発光制御装置において、
前記制御部は、前記複数の発光装置グループの中から前記第２通信部による通信を受け付ける前記発光装置が含まれることを検出したとき、前記検出された発光装置を含む前記発光装置グループに対して電波を用いた通信を行うように制御を行う発光制御装置。
【請求項７】
請求項１から６の何れか一項に記載の発光制御装置において、
光を発光する発光部と、
光を用いた通信、および、電波を用いた通信の少なくとも１つが可能な通信部と、
前記発光部を制御するための制御信号を、光を用いた通信および電波を用いた通信の何れかで受信することを設定する設定部と、を有し、
前記制御部は、前記設定部により光を用いた通信で前記制御信号を受信することが設定されている場合でも、前記通信部により電波を用いた通信で前記制御信号を受信した場合には、電波を用いた通信で受信した前記制御信号に基づいて前記発光部を制御する発光制御装置。
【請求項８】
請求項１から６の何れか一項に記載の発光制御装置において、
光を発光する発光部と、
光を用いた通信、および、電波を用いた通信の少なくとも１つが可能な通信部と、
前記発光部を制御するための制御信号を、光を用いた通信および電波を用いた通信の何れかで受信することを設定する設定部と、を有し、
前記制御部は、前記設定部により電波を用いた通信で前記制御信号を受信することが設定されている場合でも、前記通信部により光を用いた通信で前記制御信号を受信した場合には、光を用いた通信で受信した前記制御信号に基づいて前記発光部を制御する発光制御装置。
【請求項９】
請求項１から請求項８の何れか一項に記載された発光制御装置と、
光学系による像を撮像する撮像部と、
を備える撮像装置。
【請求項１０】
第１発光部と、
前記第１発光部と異なる第２発光部を有する機器に対して、前記第１発光部を発光させた光を用いた通信により前記第２発光部の発光に関する指示を送信する機能および前記第１発光部の発光に関する指示を受信する光通信式無線機能を備えた第１通信部と、
前記第１発光部と異なる第３発光部を有する機器に対して、電波を用いた通信により前記第３発光部の発光に関する指示を送信する機能および前記第１発光部の発光に関する指示を受信する電波通信式無線機能を備えた第２通信部と、
を備える照明装置。
【請求項１１】
請求項１０に記載の照明装置に接続する撮像装置であって、
被写体の像を撮像し信号を出力する撮像素子と、
前記被写体の像を撮像して前記撮像素子から出力された信号に基づいて前記撮像素子の第１感度を設定し、撮影に伴う前記照明装置の発光量を決定する仮発光を伴う撮像において前記撮像素子の感度を前記第１感度に設定する第１制御と、前記仮発光を伴う撮像において前記撮像素子の感度を所定の第２感度に設定する第２制御とを切替可能な設定部と、
前記設定部における設定に基づいて、前記第１制御に基づいた仮発光を伴う撮像に基づく第１光量、または、前記第２制御に基づいた仮発光を伴う撮像に基づく第２光量を、前記照明装置の発光量として設定する設定部と、
を備える撮像装置。
【発明の詳細な説明】
【技術分野】
【０００１】
本発明は、発光制御装置、撮像装置および照明装置に関する。
【背景技術】
【０００２】
無線制御によりストロボ装置を発光させて撮影するフラッシュ撮影システムが知られている（特許文献１参照）。特許文献１では、カメラからストロボ装置へ光量設定通信により発光量が伝えられ、発光トリガ通信により発光タイミングが伝えられる。特許文献１の課題は、無線通信システムにおいて、ユーザーの操作に対するレスポンスを確保することと、複数の機器が正確な時間で同期動作を行うことと、外乱があっても確実に同期動作を行うことを両立するのは技術的なハードルが高く難しいということである。
【先行技術文献】
【特許文献】
【０００３】
【特許文献１】特開２０１０−１８５９６１号公報
【発明の概要】
【０００４】
本発明の第１の態様による発光制御装置は、少なくとも１つの発光装置を含む複数の発光装置グループのそれぞれに対して、光を用いた通信を行うか、電波を用いた通信を行うかを決定する決定部と、前記決定部により光を用いた通信を行うことが決定された前記発光装置グループに対して、光を用いた通信を行うように制御を行い、前記決定部により電波を用いた通信を行うことが決定された前記発光装置グループに対して、電波を用いた通信を行うように制御を行う制御部と、を備える。
本発明の第２の態様による撮像装置は、第１の態様による発光制御装置と、光学系による像を撮像する撮像部と、を備える。
本発明の第３の態様による照明装置は、第１発光部と、前記第１発光部と異なる第２発光部を有する機器に対して、前記第１発光部を発光させた光を用いた通信により前記第２発光部の発光に関する指示を送信する機能および前記第１発光部の発光に関する指示を受信する光通信式無線機能を備えた第１通信部と、前記第１発光部と異なる第３発光部を有する機器に対して、電波を用いた通信により前記第３発光部の発光に関する指示を送信する機能および前記第１発光部の発光に関する指示を受信する電波通信式無線機能を備えた第２通信部と、を備える。
本発明の第４の態様による撮像装置は、第３の態様の照明装置に接続する撮像装置であって、被写体の像を撮像し信号を出力する撮像素子と、前記被写体の像を撮像して前記撮像素子から出力された信号に基づいて前記撮像素子の第１感度を設定し、撮影に伴う前記照明装置の発光量を決定する仮発光を伴う撮像において前記撮像素子の感度を前記第１感度に設定する第１制御と、前記仮発光を伴う撮像において前記撮像素子の感度を所定の第２感度に設定する第２制御とを切替可能な設定部と、前記設定部における設定に基づいて、前記第１制御に基づいた仮発光を伴う撮像に基づく第１光量、または、前記第２制御に基づいた仮発光を伴う撮像に基づく第２光量を、前記照明装置の発光量として設定する設定部と、を備える。
【図面の簡単な説明】
【０００５】
【図１】第１の実施の形態による撮影システムの構成を例示する図である。
【図２】カメラ、マスター無線アダプタ、リモート無線アダプタ、および電子閃光装置の構成を例示するブロック図である。
【図３】電波通信を説明する図である。
【図４】多灯撮影時の発光タイミングを例示する図である。
【図５】通信パケットを例示する図である。
【図６】モニタ発光起動パケットにおけるデータの詳細を例示する図である。
【図７】本発光起動パケットにおけるデータの詳細を例示する図である。
【図８】発光ゲインパケットにおけるデータの詳細を例示する図である。
【図９】発光タイミングパケットにおけるデータの詳細を例示する図である。
【図１０】撮影処理の流れを例示するフローチャートである。
【図１１】多灯撮影時の発光タイミングを例示する図である。
【図１２】撮影処理の流れを例示するフローチャートである。
【図１３】第２の実施の形態による撮影システムの構成を例示する図である
【図１４】カメラ、マスター無線アダプタ、リモート光アダプタ、および電子閃光装置の構成を例示するブロック図である。
【図１５】多灯撮影時の発光タイミングを例示する図である。
【図１６】第２の実施の形態による撮影処理の流れを説明するフローチャートである。
【図１７】第３の実施の形態によるカメラ処理の流れを説明するフローチャートである。
【図１８】第３の実施の形態によるカメラ処理の流れを説明するフローチャートである。
【発明を実施するための形態】
【０００６】
（第１の実施の形態）
図１は、第１の実施の形態による撮影システムの構成を例示する図である。図１の撮影システムは、マスター無線アダプタ１０および電子閃光装置２０の双方が装着されたカメラ３０と、リモート無線アダプタ１０Ａが装着された電子閃光装置２０Ａと、リモート無線アダプタ１０Ｂが装着された電子閃光装置２０Ｂと、リモート無線アダプタ１０Ｃが装着された電子閃光装置２０Ｃと、リモート無線アダプタ１０Ｄが装着された電子閃光装置２０Ｄと、によって構成された多灯フラッシュ撮影システムである。
【０００７】
電子閃光装置２０、および電子閃光装置２０Ａ〜電子閃光装置２０Ｄは、それぞれがカメラ３０のアクセサリシューと嵌合するカメラ取り付け脚を有する。図１の例では、電子閃光装置２０がカメラ取り付け脚によって直接カメラ３０に装着され、電子閃光装置２０Ａ〜２０Ｄは、カメラ取り付け脚によってリモート無線アダプタ１０Ａ〜１０Ｄにそれぞれ装着される。
なお、リモート無線アダプタ１０Ａ〜１０Ｄは、電子閃光装置２０Ａ〜２０Ｄの内部に内蔵させてもよいし、マスター無線アダプタ１０は、カメラ３０の内部に内蔵させてもよいし、電子閃光装置２０に内蔵させてもよい。また、カメラ３０、電子閃光装置２０、２０Ａ〜２０Ｄの少なくとも１つは、後述する光アダプタの機能を有していてもよい。
【０００８】
マスター無線アダプタ１０は、例えば、カメラ３０の側面の接続端子（不図示）に装着される。リモート無線アダプタ１０Ａ〜１０Ｄは、それぞれ上記電子閃光装置２０Ａ〜２０Ｄのカメラ取り付け脚と嵌合するアクセサリシューを有する。リモート無線アダプタ１０Ａ〜１０Ｄのアクセサリシューに、電子閃光装置２０Ａ〜２０Ｄが装着される。
【０００９】
カメラ３０に装着された電子閃光装置２０は、アクセサリシューに備えられる不図示の端子を介してカメラ３０との間で有線通信する。カメラ３０の側面に装着されたマスター無線アダプタ１０は、不図示の接続端子を介してカメラ３０との間で有線通信する。
【００１０】
マスター無線アダプタ１０は、リモート無線アダプタ１０Ａ、リモート無線アダプタ１０Ｂ、リモート無線アダプタ１０Ｃ、およびリモート無線アダプタ１０Ｄ、との間で電波による無線通信を行う。
【００１１】
リモート無線アダプタ１０Ａと電子閃光装置２０Ａとは、リモート無線アダプタ１０Ａのアクセサリシューに備えられる不図示の端子を介して有線通信する。リモート無線アダプタ１０Ｂと電子閃光装置２０Ｂとは、リモート無線アダプタ１０Ｂのアクセサリシューに備えられる不図示の端子を介して有線通信する。リモート無線アダプタ１０Ｃと電子閃光装置２０Ｃとは、リモート無線アダプタ１０Ｃのアクセサリシューに備えられる不図示の端子を介して有線通信する。リモート無線アダプタ１０Ｄと電子閃光装置２０Ｄとは、リモート無線アダプタ１０Ｄのアクセサリシューに備えられる不図示の端子を介して有線通信する。
【００１２】
なお、図１の構成は、１台のカメラ３０と５台の電子閃光装置２０、２０Ａ〜２０Ｄで構成する多灯フラッシュ撮影システムであって、電子閃光装置２０および電子閃光装置２０ＡをグループＡとし、電子閃光装置２０ＢをグループＢとし、電子閃光装置２０ＣをグループＣとし、電子閃光装置２０ＤをグループＤとする場合を例示する。電子閃光装置の総数は５台でなくてもよく、１台でもよいし複数台でもよい。また、各グループを構成する電子閃光装置の数や、グループの数も、適宜変更して構わない。
さらにまた、カメラ３０のアクセサリシューに直接接続する電子閃光装置２０を撮影補助光源として使わずに、電波通信を行う電子閃光装置２０Ａ〜２０Ｄを撮影補助光源として用いる多灯フラッシュ撮影システムを構成してもよい。
【００１３】
図２は、カメラ３０、マスター無線アダプタ１０、電子閃光装置２０、リモート無線アダプタ１０Ａ、および電子閃光装置２０Ａの構成を例示するブロック図である。第１の実施の形態では、マスター無線アダプタ１０およびリモート無線アダプタ１０Ａを同一の回路構成にしたため、両無線アダプタ間で共通するブロックに対して同一符号を付して説明する。
【００１４】
また、図２において図示を省略しているが、リモート無線アダプタ１０Ｂおよび電子閃光装置２０Ｂの構成と、リモート無線アダプタ１０Ｃおよび電子閃光装置２０Ｃの構成と、リモート無線アダプタ１０Ｄおよび電子閃光装置２０Ｄの構成は、それぞれリモート無線アダプタ１０Ａおよび電子閃光装置２０Ａの構成と同様である。
【００１５】
＜電子閃光装置＞
図２において、電子閃光装置２０および電子閃光装置２０Ａはそれぞれ、キセノン管などの発光管２０１と、発光制御回路２０２と、ＣＰＵ２０３と、温度検出部２０４と、電池残量検出部２０５と、を含む。ＣＰＵ２０３は、接続されている外部機器のＣＰＵ（リモート無線アダプタ１０ＡのＣＰＵ１０５、またはカメラ３０のＣＰＵ３０６）との間で有線通信を行いながら、発光管２０１の発光を制御する。
【００１６】
発光制御回路２０２は高電圧充電回路を含み、放電発光に必要なエネルギーを蓄積する。発光制御回路２０２は、ＣＰＵ２０３からの指示に基づいて蓄積エネルギーの放電時間を制御することにより、発光管２０１を所定の発光量（目標発光量）で放電発光させる。目標発光量は、外部機器からＣＰＵ２０３へ伝達される。
【００１７】
発光制御回路２０２は、蓄積エネルギーが所定値に達している場合に、ＣＰＵ２０３へレディ情報を送出する。発光制御回路２０２は、蓄積エネルギーが所定値未満の場合には、レディ情報を送出しない。一般に、レディ情報を送出するための所定値は、エネルギーの最大蓄積容量より少ない値である。
【００１８】
電池残量検出部２０４は、電子閃光装置２０（２０Ａ）に設けられた不図示の電池の電圧を検出し、電池残量が発光管２０１を放電発光させるために必要な残量より少ない場合（電池電圧が所定電圧値以下）に、ＣＰＵ２０３へ電池警告情報を送出する。電池残量検出部２０５は、電池残量が上記必要な残量を上回っている場合は、電池警告情報を送出しない。
【００１９】
＜無線アダプタ＞
マスター無線アダプタ１０およびリモート無線アダプタ１０Ａは、それぞれ、アンテナ１０１と、通信回路１０２と、ＣＰＵ１０５とを含む。ＣＰＵ１０５は、接続されている外部機器のＣＰＵ（電子閃光装置２０ＡのＣＰＵ２０３、またはカメラ３０のＣＰＵ３０６）との間で有線通信を行う他、他の無線アダプタとの間で行う電波通信の制御とを行う。
【００２０】
通信回路１０２は、ＣＰＵ１０５からの指示に応じて、アンテナ１０１を介して他の無線アダプタとの間で電波通信を行う。
【００２１】
＜カメラ＞
カメラ３０は、撮影レンズ３０１と、シャッタ３０２と、撮像素子３０３と、測光センサ３０４と、シャッタ駆動装置３０５と、ＣＰＵ３０６と、操作部材（レリーズスイッチ含む）３０７と、メモリ３０８と、表示部３０９と、を備える。
【００２２】
撮影レンズ３０１は、被写体像を撮像素子３０３の撮像面に結像させる。シャッタ３０２は、シャッタ駆動装置３０５によって開閉制御される。測光センサ３０４は、入射光の強さに応じた測光信号を出力する。ＣＰＵ３０６は、測光信号に基づいて所定の露出演算を行うことにより、撮像素子３０３の感度、シャッタ３０２の開時間、および不図示の絞りの絞り値を制御する。また、ＣＰＵ３０６は、上記測光センサ３０４からの出力信号に基づいて、電子閃光装置２０、２０Ａ〜２０Ｄに対する調光制御も行う。
【００２３】
操作部材３０７は、レリーズスイッチやメニュースイッチ、操作ダイヤルなどを含み、各種操作に応じた操作信号をＣＰＵ３０６へ送出する。撮像素子３０３は、被写体像を光電変換して画像信号を出力する。撮像素子３０３から出力された画像信号は、ＣＰＵ３０６によって所定の画像処理が施される。画像処理には、輪郭強調処理、補間処理、ホワイトバランス調整処理などが含まれる。画像処理後の画像信号は、メモリカードなどの記録媒体３５０に記録される。
【００２４】
メモリ３０８は、カメラ３０と組み合わせて使用される電子閃光装置から送信された情報（例えば、最小発光量のガイドナンバーや、最大発光量のガイドナンバーなど）を記憶する。
【００２５】
表示部３０９は、例えば、カメラ３０のボディ背面に設けた液晶表示器によって構成され、撮影画像や、操作メニュー画面、情報表示画面などを表示する。
【００２６】
＜多灯撮影＞
多灯フラッシュ撮影を行う場合、カメラ３０のＣＰＵ３０６は、撮影者によるレリーズスイッチ（操作部材３０７）の押下操作（撮影指示）を検出してレリーズシーケンス処理を開始させる。そして、有線通信を介してマスター無線アダプタ１０および電子閃光装置２０へ発光指示を送出する。
【００２７】
なお、撮影指示に先立って、マスター無線アダプタ１０とリモート無線アダプタ１０Ａ〜１０Ｄ（すなわち電子閃光装置２０Ａ〜２０Ｄ）との間で電波通信が確立されているものとする。例えば、マスター無線アダプタ１０が、無線接続を要求するリモート無線アダプタ１０Ａ〜１０Ｄを自動検出して個別に無線接続を行い、個々のリモート無線アダプタを認識するためのＩＤを付与することによって、マスター無線アダプタ１０と、各リモート無線アダプタ１０Ａ〜１０Ｄとの間で電波通信を確立させる。
【００２８】
また、電子閃光装置２０、および電波通信を確立したリモート無線アダプタ１０Ａ〜１０Ｄに対応する電子閃光装置２０Ａ〜２０Ｄのうち、発光対象にする電子閃光装置が、撮影者による操作によってあらかじめ指定されているものとする。また、電子閃光装置２０、および電子閃光装置２０Ａ〜２０Ｄのグループ割も、撮影者による操作によってあらかじめ指定されているものとする。
【００２９】
―カメラとマスター無線アダプタ間の有線通信―
カメラ３０（ＣＰＵ３０６）と、マスター無線アダプタ１０（ＣＰＵ１０５）との間の通信は、有線通信である。この有線通信は、カメラ３０が主導して必要に応じて適宜行う。
【００３０】
カメラ３０とマスター無線アダプタ１０との間の通信は、通常、カメラ３０がマスター無線アダプタ１０へコマンドおよびデータを送信し、これを受信したマスター無線アダプタ１０がカメラ３０へ返信（ack）する。コマンドには、電子閃光装置２０Ａに対するもの、電子閃光装置２０Ｂに対するもの、電子閃光装置２０Ｃに対するもの、電子閃光装置２０Ｄに対するものが含まれる。
【００３１】
―カメラと電子閃光装置間の有線通信―
また、カメラ３０（ＣＰＵ３０６）と、電子閃光装置２０（ＣＰＵ２０３）との間の通信も有線通信である。この有線通信も、カメラ３０が主導して必要に応じて適宜行う。
【００３２】
カメラ３０と電子閃光装置２０との間の通信は、通常、カメラ３０が電子閃光装置２０へコマンドおよびデータを送信し、これを受信した電子閃光装置２０がカメラ３０へ返信（ack）する。コマンドには、電子閃光装置２０に対するものが含まれる。
【００３３】
−マスター無線アダプタとリモート無線アダプタ間の通信−
マスター無線アダプタ１０とリモート無線アダプタ１０Ａ、マスター無線アダプタ１０とリモート無線アダプタ１０Ｂ、マスター無線アダプタ１０とリモート無線アダプタ１０Ｃ、およびマスター無線アダプタ１０とリモート無線アダプタ１０Ｄとの間の通信は、それぞれ電波通信である。図３は、マスター無線アダプタ１０がリモート無線アダプタ１０Ａ（リモート無線アダプタ１０Ｂ、リモート無線アダプタ１０Ｃ、またはリモート無線アダプタ１０Ｄ）との間で行う電波通信を説明する図である。
【００３４】
リモート無線アダプタ１台当たりの電波通信の発生頻度は、カメラ３０とマスター無線アダプタ１０との間の通信の発生頻度と同じである。すなわち、カメラ３０とマスター無線アダプタ１０との間の有線通信の後、遅滞なくマスター無線アダプタ１０と各リモート無線アダプタとの間で電波通信が行われる。
【００３５】
マスター無線アダプタ１０とリモート無線アダプタ１０Ａ（１０Ｂ、１０Ｃまたは１０Ｄ）との間の通信は、通常、マスター無線アダプタ１０がリモート無線アダプタ１０Ａ（１０Ｂ、１０Ｃまたは１０Ｄ）へ上記コマンドおよびデータを送信し、これを受信したリモート無線アダプタ１０Ａ（１０Ｂ、１０Ｃまたは１０Ｄ）がマスター無線アダプタ１０へ返信（ack）する。コマンドには、通信相手のリモート無線アダプタ１０Ａ（１０Ｂ、１０Ｃまたは１０Ｄ）に装着されている電子閃光装置２０Ａ（２０Ｂ、２０Ｃまたは２０Ｄ）に対するものが含まれる。
【００３６】
−リモート無線アダプタと電子閃光装置間の通信−
各リモート無線アダプタ１０Ａ（１０Ｂ、１０Ｃまたは１０Ｄ）と、電子閃光装置２０Ａ（２０Ｂ、２０Ｃまたは２０Ｄ）との間の通信は、有線通信である。この有線通信は、各リモート無線アダプタ１０Ａ（１０Ｂ、１０Ｃまたは１０Ｄ）がマスター無線アダプタ１０との電波通信の後、対応する電子閃光装置との間で直ちに行う。
【００３７】
リモート無線アダプタ１０Ａ（１０Ｂ、１０Ｃまたは１０Ｄ）と電子閃光装置２０Ａ（２０Ｂ、２０Ｃまたは２０Ｄ）との間の通信は、通常、リモート無線アダプタ１０Ａ（１０Ｂ、１０Ｃまたは１０Ｄ）が対応する電子閃光装置２０Ａ（２０Ｂ、２０Ｃまたは２０Ｄ）へ上記コマンドおよびデータを送信し、これを受信した電子閃光装置２０Ａ（２０Ｂ、２０Ｃまたは２０Ｄ）がリモート無線アダプタ１０Ａ（１０Ｂ、１０Ｃまたは１０Ｄ）へ返信（ack）する。コマンドには、リモート無線アダプタ１０Ａ（１０Ｂ、１０Ｃまたは１０Ｄ）に装着されている電子閃光装置２０Ａ（２０Ｂ、２０Ｃまたは２０Ｄ）に対するものが含まれる。
【００３８】
＜多灯撮影時の発光タイミング（その１）＞
各電子閃光装置２０および２０Ａ〜２０Ｄの発光タイミングについて、図４を参照して説明する。図４は、電子閃光装置２０および２０Ａ〜２０Ｄから撮影補助光を発光させる多灯フラッシュ撮影において、ＴＴＬ(through the lens)調光制御を行う場合のタイミングを例示する図である。
【００３９】
発光の大まかなタイムスケジュールを説明する。レリーズスイッチ（操作部材３０７）の押下操作（撮影指示）が行われると、時刻ｔ０において、カメラ３０のＣＰＵ３０６がレリーズシーケンス処理を開始させる。
【００４０】
第１の実施の形態におけるＴＴＬ調光制御時のレリーズシーケンス処理では、ＣＰＵ３０６から指示を受けたシャッタ駆動装置３０５がシャッタ３０２を開駆動する前（本撮影露光前）に、カメラ３０（ＣＰＵ３０６）が各電子閃光装置２０および２０Ａ〜２０Ｄに対して、時刻ｔ１、ｔ３、ｔ５、ｔ７において上記グループ単位で順番に４回のモニタ発光（本発光前の予備発光）を行わせる。モニタ発光では、電子閃光装置２０および２０Ａ〜２０Ｄが、それぞれのモニタ発光時の目標発光量（目標モニタ発光量）で発光する。
【００４１】
カメラ３０の測光センサ３０４は、上記４回のモニタ発光のタイミングに合わせて、それぞれ被写体からの反射光を受光するように制御される（測光）。ＣＰＵ３０６は、測光センサ３０４から出力された測光信号に基づいて演算処理を行うことにより、電子閃光装置２０および２０Ａ〜２０Ｄの本発光時の目標発光量（目標本発光量）を演算する。
【００４２】
目標本発光量の演算例は、以下の通りである。電子閃光装置２０および２０Ａ〜２０Ｄをいずれも発光させない状態で測光センサ３０４から出力された測光信号と、グループＡを構成する電子閃光装置（本例では、電子閃光装置２０および電子閃光装置２０Ａ）にモニタ発光させた状態で測光センサ３０４から出力された測光信号と、の差分に基づいてグループＡの目標本発光量を演算する。
【００４３】
同様に、グループＢ、グループＣ、およびグループＤについても、それぞれ電子閃光装置２０および２０Ａ〜２０Ｄを発光させない状態で測光センサ３０４から出力された測光信号と、各グループを構成する電子閃光装置（本例では、電子閃光装置２０Ｂ、または電子閃光装置２０Ｃ、または電子閃光装置２０Ｄ）にモニタ発光させた状態で測光センサ３０４から出力された測光信号と、の差分に基づいて各グループの目標本発光量を演算する。
【００４４】
ＣＰＵ３０６は、シャッタ３０２が全開する時刻ｔ１０において、電子閃光装置２０および２０Ａ〜２０Ｄを略同時に本発光させる（本撮影露光）。本発光では、電子閃光装置２０および２０Ａ〜２０Ｄが、それぞれの目標本発光量で発光する。
【００４５】
以下、各電子閃光装置２０および２０Ａ〜２０Ｄの発光タイミングを詳細に説明する。
＜全グループに対するモニタ発光の指示＞
時刻ｔ０にレリーズシーケンス処理を開始させたカメラ３０（ＣＰＵ３０６）は、マスター無線アダプタ１０を介して全てのリモート無線アダプタ１０Ａ〜リモート無線アダプタ１０Ｄへ、モニタ発光起動コマンドを電波通信でブロードキャスト送信する。レリーズシーケンス処理中の電波通信は、各リモート無線アダプタ１０Ａ〜１０Ｄからの返信（ack）を要求しない一方方向の送信を複数回（例えば１０回）繰り返す。
【００４６】
複数回繰り返す理由は、通信状態が悪い環境（例えば、電磁雑音が多い環境や、他の通信機器が発信する電波との干渉が大きい環境など）が想定される電波通信の場合、送信する度に返信（ack）を待って、受信側において受信されたか否かを確認するよりも、送信を複数回繰り返すことによって、受信側において受信される確率を高める方が好ましいという考え方に基づく。
カメラ３０（ＣＰＵ３０６）はさらに、グループＡの電子閃光装置２０へモニタ発光起動コマンドを有線通信で送信する。
【００４７】
第１の実施の形態におけるモニタ発光起動コマンドには、モニタ発光対象であるグループおよびその発光順と、１番目にモニタ発光するグループのモニタ発光タイミング（発光開始時間）と、グループ間のモニタ発光間隔Ｔ（インターバル時間）と、各電子閃光装置２０および２０Ａ〜２０Ｄの目標モニタ発光量と、が含められる。目標モニタ発光量は、あらかじめ決められた所定値（本発光量に比べて数百分の１程度）である。
【００４８】
＜グループＡのモニタ発光＞
モニタ発光起動コマンドを受信したグループＡのリモート無線アダプタ１０Ａは、接続される電子閃光装置２０Ａへモニタ発光起動コマンドを有線通信で送信する。本例の電子閃光装置２０Ａは、１番目にモニタ発光するグループＡである。このため、電子閃光装置２０Ａは、上記モニタ発光タイミング（発光開始時間＝td1）に対応する時刻ｔ１において、目標モニタ発光量でモニタ発光を行う。
【００４９】
一方、モニタ発光起動コマンドを受信したグループＡの電子閃光装置２０は、上記モニタ発光タイミング（発光開始時間＝td1）に対応する時刻ｔ１において、目標モニタ発光量でモニタ発光を行う。
【００５０】
カメラ３０（ＣＰＵ３０６）は、時刻ｔ１からモニタ発光が行われる間に測光処理を行い、モニタ発光後にグループＡを対象とする上記演算処理を行わせる（Gr.A演算処理）。この演算処理により、電子閃光装置２０および２０Ａの目標本発光量が算出される。
測光処理のタイミングとモニタ発光のタイミングとを合わせるように、モニタ発光起動コマンドに含める発光開始時間が決められている。
【００５１】
＜グループＢのモニタ発光＞
モニタ発光起動コマンドを受信したグループＢのリモート無線アダプタ１０Ｂは、接続される電子閃光装置２０Ｂへモニタ発光起動コマンドを有線通信で送信する。本例の電子閃光装置２０Ｂは、２番目にモニタ発光するグループＢである。このため、電子閃光装置２０Ｂは、上記モニタ発光タイミング（発光開始時間＝td1）に対応する時刻ｔ１から上記グループ間のモニタ発光間隔Ｔ（インターバル時間）が経過した時刻ｔ３において、目標モニタ発光量でモニタ発光を行う。
【００５２】
カメラ３０（ＣＰＵ３０６）は、時刻ｔ３からモニタ発光が行われる間に測光処理を行い、モニタ発光後にグループＢを対象とする上記演算処理を行わせる（Gr.B演算処理）。この演算処理により、電子閃光装置２０Ｂの目標本発光量が算出される。
測光処理のタイミングとモニタ発光のタイミングとを合わせるように、モニタ発光起動コマンドに含める発光開始時間およびモニタ発光間隔Ｔが決められている。
【００５３】
＜グループＣのモニタ発光＞
モニタ発光起動コマンドを受信したグループＣのリモート無線アダプタ１０Ｃは、接続される電子閃光装置２０Ｃへモニタ発光起動コマンドを有線通信で送信する。本例の電子閃光装置２０Ｃは、３番目にモニタ発光するグループＣである。このため、電子閃光装置２０Ｃは、上記モニタ発光タイミング（発光開始時間＝td1）に対応する時刻ｔ１から上記グループ間のモニタ発光間隔Ｔ（インターバル時間）×２が経過した時刻ｔ５において、目標モニタ発光量でモニタ発光を行う。
【００５４】
カメラ３０（ＣＰＵ３０６）は、時刻ｔ５からモニタ発光が行われる間に測光処理を行い、モニタ発光後にグループＣを対象とする上記演算処理を行わせる（Gr.C演算処理）。この演算処理により、電子閃光装置２０Ｃの目標本発光量が算出される。
測光処理のタイミングとモニタ発光のタイミングとを合わせるように、モニタ発光起動コマンドに含める発光開始時間およびモニタ発光間隔Ｔが決められている。
【００５５】
＜グループＤのモニタ発光＞
モニタ発光起動コマンドを受信したグループＤのリモート無線アダプタ１０Ｄは、接続される電子閃光装置２０Ｄへモニタ発光起動コマンドを有線通信で送信する。本例の電子閃光装置２０Ｄは、４番目にモニタ発光するグループＤである。このため、電子閃光装置２０Ｄは、上記モニタ発光タイミング（発光開始時間＝td1）に対応する時刻ｔ１から上記グループ間のモニタ発光間隔Ｔ（インターバル時間）×３が経過した時刻ｔ７において、目標モニタ発光量でモニタ発光を行う。
【００５６】
カメラ３０（ＣＰＵ３０６）は、時刻ｔ７からモニタ発光が行われる間に測光処理を行い、モニタ発光後にグループＤを対象とする上記演算処理を行わせる（Gr.D演算処理）。この演算処理により、電子閃光装置２０Ｄの目標本発光量が算出される。
測光処理のタイミングとモニタ発光のタイミングとを合わせるように、モニタ発光起動コマンドに含める発光開始時間およびモニタ発光間隔Ｔが決められている。
【００５７】
カメラ３０（ＣＰＵ３０６）は、上記グループＤを対象とする演算処理に続いて、時刻ｔ８において本撮影露光に備えて所定の総合演算処理を行う。
【００５８】
＜全グループに対する本発光の指示＞
総合演算処理後の時刻ｔ９において、カメラ３０（ＣＰＵ３０６）は、マスター無線アダプタ１０を介して全てのリモート無線アダプタ１０Ａ〜リモート無線アダプタ１０Ｄへ、本発光起動コマンドを電波通信でブロードキャスト送信する。レリーズシーケンス処理中の電波通信であるので、各リモート無線アダプタ１０Ａ〜１０Ｄからの返信（ack）を要求しない一方方向の送信を複数回（例えば１０回）繰り返す。
カメラ３０（ＣＰＵ３０６）はさらに、グループＡの電子閃光装置２０へ本発光起動コマンドを有線通信で送信する。
【００５９】
第１の実施の形態における本発光起動コマンドには、本発光タイミング（発光開始時間＝td2）と、各電子閃光装置２０および２０Ａ〜２０Ｄの目標本発光量と、が含められる。
【００６０】
本発光起動コマンドを受信したリモート無線アダプタ１０Ａ〜１０Ｄは、それぞれ接続される電子閃光装置２０Ａ〜２０Ｄへ本発光起動コマンドを有線通信で送信する。
【００６１】
＜全グループＡ〜Ｄの本発光＞
上記本発光起動コマンドを受信した電子閃光装置２０Ａ〜２０Ｄ、および電子閃光装置２０は、上記本発光タイミング（発光開始時間＝td2）に対応する時刻ｔ１０において、それぞれ目標本発光量で本発光を行う。シャッタ３０２が全開するタイミング（本撮影露光開始）と、本発光のタイミングとを合わせるように、本発光起動コマンドに含める発光開始時間＝td2が決められている。
【００６２】
＜通信パケット＞
第１の実施の形態では、上述した通信において以下のような通信パケットが生成、送信される。図５は、通信パケットを例示する図であり、デジタル通信のフォーマットに則したものである。図５において、「ｐｒｅａｍｂｌｅ」４ａは、通信の最初に送信する助走部分に相当するデータであり、受信側の無線アダプタ（例えば、リモート無線アダプタ１０Ａ〜リモート無線アダプタ１０Ｄ）においてキャリア検出やＡＧＣ、位相基準の検出のために用いられる。受信側の無線アダプタは、「ｐｒｅａｍｂｌｅ」４ａを検出すると、以降の信号の受信を可能にする。「ｐｒｅａｍｂｌｅ」４ａは、例えば０ , ０ , ０ , ０・・・のような固定ビットパターンが設定される。
【００６３】
「ＳＦＤ（Ｓｔａｒｔ ｏｆ  Ｆｒａｍｅ  Ｄｅｌｉｍｉｔｅｒ）」４ｂは、「ｐｒｅａｍｂｌｅ」４ａに続くパケットの先頭部分に付加される同期用データであり、「ＳＹＮＣ」とも呼ばれる。「ＳＦＤ」４ｂは、パケットの開始を検出するためのパターンであり、通常は１バイト（２バイトでもよい）である。通信方式によってあらかじめ標準となる「ＳＦＤ」４ｂが定められているので、所定の受信期間内に受信側の無線アダプタが受信デコードした信号が当該標準の「ＳＦＤ」４ｂと一致する場合にのみ、受信側の無線アダプタにおいて以降の受信が有効になる。
【００６４】
「Ｆｌａｍｅ  ｌｅｎｇｔｈ」４ｃは、通信データ容量（バイト数）を示すデータであり、パケットの情報量を意味する。受信側の無線アダプタは、「ＳＦＤ」４ｂを検出後に「Ｆｌａｍｅ  ｌｅｎｇｔｈ」４ｃで示されたデータ数をデコードして１回の受信を終了する。
【００６５】
「コマンド」４ｆは、処理を起動するための制御コマンドを表すデータである。例えば、マスター無線アダプタ１０が上述した本発光起動コマンドを送信する通信パケット（本発光起動パケットと呼ぶ）には、「コマンド」４ｆとして本発光起動コマンドを表すデータが付加される。また、マスター無線アダプタ１０が上述したモニタ発光起動コマンドを送信する通信パケット（モニタ発光起動パケットと呼ぶ）には、「コマンド」４ｆとしてモニタ発光起動コマンドを表すデータが付加される。
【００６６】
第１の実施の形態では、モニタ発光起動パケットや本発光起動パケットの他に、サーチ起動パケット、発光ゲインパケット、発光タイミングパケット、発光確認パケットが用意されている。サーチ起動パケットは、マスター無線アダプタ１０が、リモート無線アダプタ１０Ａ〜リモート無線アダプタ１０Ｄからの無線接続要求を求めるためのコマンド（接続要求問い合わせコマンド）を送信する通信パケットである。発光ゲインパケットは、マスター無線アダプタ１０が、モニタ発光や本発光における目標発光量を指示するためのコマンドを送信する通信パケットである。発光ゲインパケットには発光タイミング（発光開始時間）の情報が含まれない。
【００６７】
発光タイミングパケットは、マスター無線アダプタ１０が、モニタ発光や本発光における発光タイミング（発光開始時間）を指示するためのコマンドを送信する通信パケットである。発光タイミングパケットには目標発光量の情報が含まれない。発光確認パケットは、マスター無線アダプタ１０が、発光後情報を求めるためのコマンド（発光後情報問い合わせコマンド）をリモート無線アダプタ１０Ａ〜リモート無線アダプタ１０Ｄへ送信する通信パケットである。
【００６８】
制御コマンドを送信しない通信パケットの場合、「コマンド」４ｆは省略される。例えば、リモート無線アダプタ１０Ａ〜リモート無線アダプタ１０Ｄが発光後情報としての報告データをマスター無線アダプタ１０へ送信するための報告パケットでは、「コマンド」４ｆが省略される。報告データには、例えば、本発光がいわゆるフル発光であったか否かを示すデータが含まれる。フル発光は、蓄積エネルギーの全てを放電して発光することをいう。
【００６９】
「相手先ＩＤ」４ｇは、「コマンド」４ｆで定義したコマンドの実行対象となるリモート無線アダプタ１０Ａ〜リモート無線アダプタ１０ＤのＩＤ、または報告パケットの送信先となるマスター無線アダプタ１０のＩＤが含まれる。
【００７０】
ここで、マスター無線アダプタ１０、リモート無線アダプタ１０Ａ〜リモート無線アダプタ１０Ｄには個別にＩＤが付与されており（例えば、Ｍ，Ａ，Ｂ，Ｃ，Ｄ）、この個別ＩＤによって無線アダプタを一意に識別することができる。
同じグループ内に複数の機器が存在する場合、例えばＡ１，Ａ２，…と個別ＩＤを付与する。また、個別ＩＤに代えて、全ての機器を指定するためのＩＤ（全装置ＩＤと呼び、例えば０（ゼロ））を指定してもよい。全装置ＩＤは、例えばリモート無線アダプタ１０Ａ〜リモート無線アダプタ１０Ｄの全てを「コマンド」４ｆの実行対象として指定する際に好適である。
【００７１】
通信パケットを受信する側の無線アダプタは、「相手先ＩＤ」４ｇに自己の個別ＩＤが含まれている場合、または全装置ＩＤが含まれている場合に、「コマンド」４ｆで定義した制御コマンドの実行対象が自分であること、または報告データの送信先が自分であることを認識する。
【００７２】
「データ」４ｈには、「コマンド」４ｆに対応するデータとして、例えばグループ情報、モード情報、時間情報、および発光量情報等を含めることができる。グループ情報は、上記グループＡ〜グループＤに関する情報である。モード情報は、動作モードを示す情報である。
【００７３】
時間情報は、同期信号が出力されてから処理開始までの時間を示す情報である。上述したように、第１の実施の形態では「ＳＦＤ」４ｂを同期用データとして用いる。そして、電子閃光装置２０およびカメラ３０が処理を開始するタイミングと、電子閃光装置２０Ａ〜２０Ｄが処理を開始するタイミングと、の間で以下のように同期がとられる。
【００７４】
送信側であるカメラ３０のＣＰＵ３０６は、生成した上記通信パケットをマスター無線アダプタ１０のＣＰＵ１０５へ送出する。マスター無線アダプタ１０のＣＰＵ１０５は、通信回路１０２による上記通信パケットの無線送信と並行して、上記通信パケットを先頭から読み込んで解析し、同期データとしての「ＳＦＤ」４ｂの読み込みが完了したことを検出した時点を基準に、上記時間情報で指定された時間を計時する。ＣＰＵ１０５は、指定された時間を計時した時点で、カメラ３０（ＣＰＵ３０６）へ処理の開始を示す信号を出力する。
【００７５】
受信側であるリモート無線アダプタ１０ＡのＣＰＵ１０５は、通信回路１０２で受信された通信パケットを先頭から読み込んで解析し、同期データとしての「ＳＦＤ」４ｂの読み込みが完了したことを検出した時点を基準に、上記時間情報で指定された時間を計時する。ＣＰＵ１０５は、指定された時間を計時した時点で電子閃光装置２０Ａ（ＣＰＵ２０３）へ処理の開始を示す信号を出力する。
【００７６】
これにより、上記通信パケットの「ＳＦＤ」４ｂの読み込み完了を時間的基準として、電子閃光装置２０およびカメラ３０が処理を開始するタイミングと、電子閃光装置２０Ａ〜２０Ｄが処理を開始するタイミングと、の間で同期をとることができる。さらに、複数の電子閃光装置２０Ａ〜２０Ｄが存在する場合でも、各電子閃光装置２０Ａ〜２０ＤのＣＰＵ２０３は、同じタイミングで処理を開始することができるため、各電子閃光装置２０Ａ〜２０Ｄ間での処理開始タイミングの同期も精度高くとることができる
【００７７】
なお、返信（ack）を要求しない一方方向の送信を複数回繰り返した場合において、受信側が、同じコマンドに対応する処理を繰り返さないようにしている。また、受信側が、１回目の送信を受信してコマンド処理を開始する場合と、２回目以降の送信を受信してコマンド処理を開始する場合とで、受信側が行う処理のタイミングに差が生じないように、送信回数が増える毎に「データ」４ｈに含める時間情報を異ならせている。
【００７８】
発光量情報は、グループごとの目標発光量を示す情報である。
【００７９】
図６は、モニタ発光起動パケットにおける「データ」４ｈの詳細を例示する図である。グループ情報６１は、モニタ発光対象であるグループと、グループの発光順を示す。本例の場合、グループＡ、グループＢ、グループＣ、グループＤの順である。時間情報６２は、１番目にモニタ発光するグループのモニタ発光タイミング（発光開始時間＝td1）であり、上述した「ＳＦＤ」４ｂの読み込み完了時点を基準とする時間で表される。時間情報６３は、グループ間のモニタ発光間隔Ｔ（インターバル時間）を示す。
【００８０】
発光量情報６４は、グループＡの目標モニタ発光量、グループＢの目標モニタ発光量、グループＣの目標モニタ発光量、グループＤの目標モニタ発光量を示す。グループＡに複数の電子閃光装置が存在する場合は、グループＡの目標モニタ発光量として、Ａ１の目標モニタ発光量、Ａ２の目標モニタ発光量、…というように、同グループ内の電子閃光装置の目標モニタ発光量を個別ＩＤの順番に続ける。
【００８１】
図７は、本発光起動パケットにおける「データ」４ｈの詳細を例示する図である。グループ情報７１は、本発光対象のグループを示す。時間情報７２は、本発光タイミング（発光開始時間＝td2）であり、上述した「ＳＦＤ」４ｂの読み込み完了時点を基準とする時間で表される。モード情報７３は、上記説明したＴＴＬ調光制御方式によって発光量を決定するＴＴＬモードであるか、固定発光量で発光するマニュアル発光モードであるかを示す。
【００８２】
発光量情報７４は、グループＡの目標本発光量、グループＢの目標本発光量、グループＣの目標本発光量、グループＤの目標本発光量を示す。グループＡに複数の電子閃光装置が存在する場合は、グループＡの目標本発光量として、Ａ１の目標本発光量、Ａ２の目標本発光量、…というように、同グループ内の電子閃光装置の目標本発光量が個別ＩＤの順番に続く。
【００８３】
図８は、発光ゲインパケットにおける「データ」４ｈの詳細を例示する図である。グループ情報８１は、グループ情報７１と同様に、本発光対象のグループを示す。モード情報８２は、モード情報７３と同様に、発光モードを示す。発光量情報８３は、発光量情報７４と同様に、各電子閃光装置２０および２０Ａ〜２０Ｄの目標本発光量を示す。
【００８４】
図９は、発光タイミングパケットにおける「データ」４ｈの詳細を例示する図である。グループ情報９１は、グループ情報７１と同様に、本発光対象のグループを示す。時間情報９２は、時間情報７２と同様の発光タイミング（発光開始時間＝td2）であって、上述した「ＳＦＤ」４ｂの読み込み完了時点を基準とする時間で表される。
【００８５】
＜フローチャートの説明＞
図１０は、カメラ３０のＣＰＵ３０６が、撮影者によるレリーズスイッチ（操作部材３０７）の押下操作（撮影指示）を検出して開始させる撮影処理の流れを例示するフローチャートである。図１０のステップＳ１０において、ＣＰＵ３０６は、マスター無線アダプタ１０からモニタ発光起動コマンドを送信させるとともに、電子閃光装置２０へモニタ発光起動コマンド（モニタ発光起動パケット）を送信してステップＳ２０へ進む（図４の時刻ｔ０）。
【００８６】
上記モニタ発光起動パケットに基づき、電子閃光装置２０Ａ〜２０Ｄおよび電子閃光装置２０により、上述した時間情報で指定された時間の経過後にモニタ発光の処理が開始される。
【００８７】
ステップＳ２０において、ＣＰＵ３０６は、上述した時間情報で指定された時間の経過後に測光処理を開始してステップＳ３０へ進む。ステップＳ３０において、ＣＰＵ３０６は、目標本発光量の演算処理を開始してステップＳ４０へ進む。ステップＳ４０において、ＣＰＵ３０６は、モニタ発光が終了したか否かを判定する。ＣＰＵ３０６は、モニタ発光起動パケットにおける「データ」４ｈに基づいて、モニタ発光の対象であるグループの全てにおいてモニタ発光を終了している場合、ステップＳ４０を肯定判定してステップＳ５０へ進む。ＣＰＵ３０６は、モニタ発光の対象であるグループの全てにおいてモニタ発光を終了していない場合、ステップＳ４０を否定判定してステップＳ２０へ戻る。ステップＳ２０へ戻る場合のＣＰＵ３０６は、残りのグループのモニタ発光に合わせて測光処理を開始させる。
【００８８】
ステップＳ５０において、ＣＰＵ３０６は、総合演算処理を開始してステップＳ６０へ進む（図４の時刻ｔ８）。ステップＳ６０において、ＣＰＵ３０６は、露光シーケンスを開始させる。具体的には、シャッタ駆動装置３０５によりシャッタ３０２の先幕走行を開始させて、ステップＳ７０へ進む。
【００８９】
ステップＳ７０において、ＣＰＵ３０６は、マスター無線アダプタ１０から本発光起動コマンドを送信させるとともに、電子閃光装置２０へ本発光起動コマンドを送信してステップＳ８０へ進む（図４の時刻ｔ９）。本発光起動コマンドは、いわゆるＸオンタイミングに合わせて送信される。
【００９０】
電子閃光装置２０Ａ〜２０Ｄおよび電子閃光装置２０により、上述した時間情報で指定された時間の経過後に本発光の処理が開始される。シャッタ３０２が全開する図４の時刻ｔ１０において本発光が行われる。
【００９１】
ステップＳ８０において、ＣＰＵ３０６は、シャッタ駆動装置３０５によるシャッタ３０２の後幕走行が開始するタイミング（図４の時刻ｔ１１）で、撮像素子３０３から画像信号を読み出して所定の画像処理を行い、ステップＳ９０へ進む。
【００９２】
ステップＳ９０において、ＣＰＵ３０６は、画像処理後の画像信号をメモリカードなどの記録媒体３５０に記録し、一連の撮影処理を終了する。
【００９３】
＜多灯撮影時の発光タイミング（その２）＞
上述した多灯撮影時のタイミング（その１）は、シャッタ３０２の先幕の走行終了（Ｘオンタイミング）に合わせて本発光起動コマンドを送信する場合、いわゆる先幕シンクロを例に説明した。
多灯撮影時のタイミング（その２）では、バルブ撮影やタイム撮影など、撮影者の操作に基づいてシャッタ３０２の後幕の走行を開始させる場合であって、かつシャッタ３０２を開いている露光時間が上記所定時間（例えば０．１秒から１秒）より長く、かつ後幕の走行開始前に本発光を行うように本発光起動コマンドを送信する、いわゆる後幕シンクロの場合を例に説明する。
なお、バルブ撮影やタイム撮影であっても、シャッタ３０２を開いている露光時間が予め所定時間（例えば０．１秒から１秒）より短く決められており、シャッタ３０２の先幕の走行終了に合わせて本発光起動コマンドを送信する場合は、多灯撮影時のタイミング（その１）のように、本発光タイミング（発光開始時間＝td2）と、各電子閃光装置２０および２０Ａ〜２０Ｄの目標本発光量と、を含めた本発光起動コマンドを用いる。
【００９４】
図１１は、電子閃光装置２０および２０Ａ〜２０Ｄから撮影補助光を発光させる多灯フラッシュ撮影において、ＴＴＬ(through the lens)調光制御を行う場合のタイミングを例示する図である。時刻ｔ０から時刻ｔ８までは、図４の場合と同様であるので説明を省略する。
【００９５】
＜全グループに対する目標発光量の指示＞
総合演算処理後の時刻ｔ９において、カメラ３０（ＣＰＵ３０６）は、マスター無線アダプタ１０を介して全てのリモート無線アダプタ１０Ａ〜リモート無線アダプタ１０Ｄへ、発光ゲインパケットを電波通信でブロードキャスト送信する。レリーズシーケンス処理中の電波通信であるので、各リモート無線アダプタ１０Ａ〜１０Ｄからの返信（ack）を要求しない一方方向の送信を複数回（例えば１０回）繰り返す。
カメラ３０（ＣＰＵ３０６）はさらに、グループＡの電子閃光装置２０へ発光ゲインパケットを有線通信で送信する。
【００９６】
上記発光ゲインパケットには、各電子閃光装置２０および２０Ａ〜２０Ｄの目標本発光量が含められる。発光ゲインパケットを受信したリモート無線アダプタ１０Ａ〜１０Ｄは、それぞれ接続される電子閃光装置２０Ａ〜２０Ｄへ発光ゲインパケットを有線通信で送信する。
【００９７】
上記発光ゲインパケットを受信した電子閃光装置２０Ａ〜２０Ｄ、および電子閃光装置２０は、それぞれ目標本発光量をセットして発光タイミングパケットを待つ。
発光ゲインパケットには発光タイミング（発光開始時間）の情報が含まれないので、本発光起動パケットに比べて情報量が少ない。このため、送信時間の長さが本発光起動パケットに比べて短い。図１１の例では、シャッタ３０２が全開する時刻ｔ１０ａに、本撮影露光が開始される。
【００９８】
＜全グループに対する発光指示＞
撮影者によるレリーズスイッチ（操作部材３０７）の押下操作の解除を検出すると、カメラ３０（ＣＰＵ３０６）は、時刻ｔ１０ｂにおいて、マスター無線アダプタ１０を介して全てのリモート無線アダプタ１０Ａ〜リモート無線アダプタ１０Ｄへ発光タイミングパケットを電波通信でブロードキャスト送信する。レリーズシーケンス処理中の電波通信であるので、各リモート無線アダプタ１０Ａ〜１０Ｄからの返信（ack）を要求しない一方方向の送信を複数回（例えば１０回）繰り返す。
カメラ３０（ＣＰＵ３０６）はさらに、グループＡの電子閃光装置２０へ発光タイミングパケットを有線通信で送信する。また、ＣＰＵ３０６は、シャッタ駆動装置３０５へシャッタ３０２の後幕走行の開始を指示する。
【００９９】
発光タイミングパケットを受信したリモート無線アダプタ１０Ａ〜１０Ｄは、それぞれ接続される電子閃光装置２０Ａ〜２０Ｄへ発光タイミングパケットを有線通信で送信する。
【０１００】
上記発光タイミングパケットを受信した電子閃光装置２０Ａ〜２０Ｄ、および電子閃光装置２０は、発光タイミング（発光開始時間＝td3）に対応する時刻ｔ１０ｃにおいて、それぞれ目標本発光量で本発光を行う。
発光タイミングパケットには目標発光量の情報が含まれないので、本発光起動パケットに比べて情報量が少ない。このため、送信時間の長さが本発光起動パケットに比べて短いことから、時刻ｔ１０ｂにおいて本発光起動パケットを送信する場合に比べて、撮影者によるレリーズスイッチ（操作部材３０７）の押下操作の解除から、シャッタ３０２の後幕走行開始（本撮影露光終了）までの時間を短縮できる。
【０１０１】
シャッタ駆動装置３０５は、本発光後の時刻ｔ１１において、シャッタ３０２の後幕走行を開始させる。
【０１０２】
＜フローチャートの説明＞
図１２は、カメラ３０のＣＰＵ３０６が、撮影者によるレリーズスイッチ（操作部材３０７）の押下操作（撮影指示）を検出して開始させる撮影処理の流れを例示するフローチャートである。
ステップＳ１０からステップＳ６０までは、図１０の場合と同様であるので説明を省略する。
【０１０３】
図１２のステップＳ６０において、ＣＰＵ３０６は、露光シーケンスを開始させる。具体的には、シャッタ駆動装置３０５によりシャッタ３０２の先幕走行を開始させて、ステップＳ７０Ａへ進む。
【０１０４】
ステップＳ７０Ａにおいて、ＣＰＵ３０６は、マスター無線アダプタ１０から発光ゲインパケットを送信させるとともに、電子閃光装置２０へ発光ゲインパケットを送信してステップＳ７０Ｂへ進む（図１１の時刻ｔ９）。
【０１０５】
ステップＳ７０Ｂにおいて、ＣＰＵ３０６は、撮影者によるレリーズスイッチ（操作部材３０７）の押下操作が解除されたか否かを判定する。ＣＰＵ３０６は、押下操作が解除された場合にステップＳ７０Ｂを肯定判定してステップＳ７０Ｃへ進み、押下操作が解除されていない場合は、ステップＳ７０Ｂを否定判定して当該判定処理を繰り返す。
なお、タイム撮影の場合、レリーズスイッチ（操作部材３０７）の押下操作の解除を判定する代わりに、レリーズスイッチ（操作部材３０７）の再度の押下操作を判定する。
【０１０６】
ステップＳ７０Ｃにおいて、ＣＰＵ３０６は、マスター無線アダプタ１０から発光タイミングパケットを送信させるとともに、電子閃光装置２０へ発光タイミングパケットを送信してステップＳ８０へ進む（図１１の時刻ｔ１０ｂ）。
【０１０７】
電子閃光装置２０Ａ〜２０Ｄおよび電子閃光装置２０により、上述した時間情報で指定された発光開始時間＝td3の経過後、すなわち、図１１の時刻ｔ１０ｃにおいて本発光が行われる。
【０１０８】
図１２のステップＳ８０において、ＣＰＵ３０６は、シャッタ駆動装置３０５によるシャッタ３０２の後幕走行が開始するタイミング（図１１の時刻ｔ１１）で、撮像素子３０３から画像信号を読み出して所定の画像処理を行い、ステップＳ９０へ進む。ステップＳ９０以降の処理は、図１０の場合と同様であるので説明を省略する。
【０１０９】
上述した第１の実施の形態によれば、次の作用効果が得られる。
（１）発光制御装置として機能する撮影システムは、電子閃光装置２０Ａ〜２０Ｄの発光量に関する情報と電子閃光装置２０Ａ〜２０Ｄの発光タイミングに関する情報とを含む本発光起動パケット、電子閃光装置２０Ａ〜２０Ｄの発光量に関する情報を含み電子閃光装置２０Ａ〜２０Ｄの発光タイミングに関する情報を含まない発光ゲインパケット、および、電子閃光装置２０Ａ〜２０Ｄの発光タイミングに関する情報を含み電子閃光装置２０Ａ〜２０Ｄの発光量に関する情報を含まない発光タイミングパケットの少なくとも１つを電子閃光装置２０Ａ〜２０Ｄに送信するマスター無線アダプタ１０と、撮影条件に応じて、本発光起動パケット、発光ゲインパケットおよび発光タイミングパケットの少なくとも１つを電子閃光装置２０Ａ〜２０Ｄに送信するようにマスター無線アダプタ１０を制御するＣＰＵ３０６とを有する。例えば、目標本発光量７４と本発光タイミング７２とを１度に送信することに適した撮影条件か否かにより、通信回数の削減に有効な本発光起動パケットの送信と、発光ゲインパケットと発光タイミングパケットとを分けて送る送信とを適切に使い分けるので、通信回数を減らすことができる。通信回数が減れば、消費電力の軽減も図れる。
【０１１０】
（２）カメラ３０のＣＰＵ３０６は、先幕シンクロ撮影の場合、および後幕シンクロ撮影かつ露光時間が予め決められており、かつ露光時間が所定時間より短い場合（例えばシャッタ３０２を開いている露光時間の計時をカメラ３０側で行える場合）に、本発光起動パケットを送信させるので、通信回数を減らすことができる。
【０１１１】
（３）カメラ３０のＣＰＵ３０６は、後幕シンクロ撮影かつ露光時間が所定時間より長い場合、および、後幕シンクロ撮影かつ撮影者による操作に基づき露光の終期を決定する場合（例えば、バルブ撮影、タイム撮影）に、発光ゲインパケットと発光タイミングパケットとを分けて送信させる。分けて送信する撮影条件を限定的にしたので、発光ゲインパケットと発光タイミングパケットとを常に分けて送信する場合と比べて、通信回数を減らすことができる。
また、撮影者による操作があってから目標本発光量７４および本発光タイミング７２の双方を制御情報として含む本発光起動パケットを送って電子閃光装置２０Ａ〜２０Ｄが本発光するまでの時間よりも、撮影者による操作があってから本発光タイミング９２を制御情報として含む発光タイミングパケットを送って電子閃光装置２０Ａ〜２０Ｄが本発光するまでの時間の方が短くなる。発光タイミングパケット（図９参照）の方が、本発光起動パケット（図７参照）よりデータ量が少ないからである。
【０１１２】
（４）カメラ３０のＣＰＵ３０６は、発光タイミングを制御情報として含む発光タイミングパケットに、電子閃光装置２０および２０Ａ〜２０Ｄが発光処理を開始する時間と、開始する時間の基準となる同期データとしての「ＳＦＤ」４ｂと、を含める。ＣＰＵ３０６は、例えば、上記発光タイミングパケットの同期データを基準にシャッタ３０２の後幕走行を開始する時間を決定することにより、本発光処理と露光の終期とのタイミングを同期させることができる。
【０１１３】
（５）カメラ３０は、発光タイミングパケットから同期データとしての「ＳＦＤ」４ｂを読み込んだときを基準にして露光の終了時間を決めるＣＰＵ３０６を備えるので、本発光処理と露光の終期と、のタイミングを精度よく同期させることができる。具体的には、同期データとして「ＳＦＤ」４ｂの読み込みを完了したマスター無線アダプタ１０のＣＰＵ１０５から信号が出力されると、この信号を基準としてＣＰＵ３０６がシャッタ３０２の後幕走行を開始させる。
【０１１４】
（６）電子閃光装置２０および２０Ａ〜２０Ｄは、照明光を発する発光管２０１と、制御情報を受信するリモート無線アダプタ１０Ａ〜１０Ｄと、目標発光量および本発光タイミングの双方を制御情報として含む本発光起動パケットがリモート無線アダプタ１０Ａ〜１０Ｄで受信される場合と、目標本発光量を制御情報として含む発光ゲインパケットと本発光タイミングを制御情報として含む発光タイミングパケットとがリモート無線アダプタ１０Ａ〜１０Ｄで受信される場合とに、それぞれ発光管２０１を発光させるＣＰＵ２０３とを備えるので、いずれの方式でも適切に本発光を行える。こうして、通信回数の削減に寄与する。
【０１１５】
次のような変形も発明の範囲内であり、変形例の一つ、もしくは複数を上述の実施の形態と組み合わせることも可能である。
（変形例１−１）
上述した説明では、モニタ発光を各グループで１回ずつ行う例を説明したが、モニタ発光を２回以上繰り返すようにしてもよい。カメラ３０のＣＰＵ３０６は、モニタ発光後の演算処理において、測光センサ３０４による測光量が少なく測光値を示すデータのＳ／Ｎ比が悪いと判断したグループを対象に、総合演算処理を行う前に、発光量情報６４（図６）で指定する目標モニタ発光量を前回よりも大きくして再度モニタ発光起動パケットを生成、送信させる。すなわち、ＣＰＵ３０６は、マスター無線アダプタ１０から２回目のモニタ発光起動コマンドを送信させるとともに、電子閃光装置２０へ２回目のモニタ発光起動コマンドを送信する。
【０１１６】
また、カメラ３０のＣＰＵ３０６は、モニタ発光後の演算処理において、測光センサ３０４による測光量が大きく、測光レンジをオーバーフローしたグループを対象に、総合演算処理を行う前に、発光量情報６４（図６）で指定する目標モニタ発光量を前回より小さくして再度モニタ発光起動パケットを生成、送信させる。すなわち、ＣＰＵ３０６は、マスター無線アダプタ１０から２回目のモニタ発光起動コマンドを送信させるとともに、電子閃光装置２０へ２回目のモニタ発光起動コマンドを送信する。
【０１１７】
ＣＰＵ３０６は、１回目のモニタ発光時に適正な測光結果が得られなかったグループについてのみモニタ発光を繰り返すことによって、全てのグループについて適正な測光結果が得られたと判断した場合に、上述した総合演算処理へ進む。
【０１１８】
このとき、従来技術のように、グループごとに個別に送信することも考えられるが、この場合には、マスター無線アダプタ１０側でその都度「ｐｒｅａｍｂｌｅ」４ａから通信を行う必要があり、時間的なロスが生じる。しかしながら、変形例１−１では、図６に示すように１つのモニタ発光起動パケットで、発光をさせるグループの順番、開始時間、インターバル時間、発光量情報をまとめて指定することで、時間的なロスが発生することを防止している。
【０１１９】
変形例１−１によれば、２回目のモニタ発光時においても、処理の開始時間がそれぞれ異なる制御情報を送るようにしたので、処理の開始時間ごとの送信が不要になる。これにより、通信回数を減らすことができる。
【０１２０】
（変形例１−２）
多灯撮影時の発光タイミング（その２）として、バルブ撮影やタイム撮影において、後幕の走行開始前に本発光を行う後幕シンクロを例に説明した。図１１や図１２による制御は、バルブ撮影やタイム撮影に限らず、長秒時露光を中止させる場合にも適用できる。長秒時露光は、例えば、３０秒や１分、あるいはそれ以上の露光である。撮影者は、あらかじめ所定の本撮影露光時間による撮影を開始させたものの、本撮影露光時間の満了前に当該撮影を中止させるために所定の操作（例えば不図示の中止スイッチを操作する）を行う。
【０１２１】
ＣＰＵ３０６は、長秒時露光の中止操作を検出すると、図１１の時刻ｔ１０ｂにおいて、シャッタ駆動装置３０５へシャッタ３０２の後幕走行の開始を指示するとともに、全ての電子閃光装置に対する発光タイミングパケットを送信させる。
このように、例えば３０秒以上の長秒時露光を開始後に露光途中で強制終了させる場合においても、上述した第２の指示方式へ切り替えて、後幕シンクロ撮影を適切に行うことができる。
【０１２２】
（変形例１−３）
上述した説明では、同期用データとして「ＳＦＤ」４ｂを用いることにより、カメラ３０および電子閃光装置２０が処理を開始するタイミングと、電子閃光装置２０Ａ〜２０Ｄが処理を開始するタイミングとを合わせる（同期をとる）ようにした。すなわち、受信側であるリモート無線アダプタ１０ＡのＣＰＵ１０５は、送信側であるマスター無線アダプタ１０から受信した通信パケットを解析し、上記「ＳＦＤ」４ｂの読み込み完了を検出した時点を基準に、処理開始までの時間を計時する。この代わりに、送信側であるマスター無線アダプタ１０から通信パケットを受信した時点を基準にしてもよい。
【０１２３】
すなわち、変形例１−３において、受信側であるリモート無線アダプタ１０ＡのＣＰＵ１０５は、マスター無線アダプタ１０から通信パケットを受け取った時点から計時を開始し、上記時間情報で指定された時間が経過したときに処理を開始させる。変形例１−３の構成でも、カメラ３０および電子閃光装置２０が処理を開始するタイミングと、電子閃光装置２０Ａ〜２０Ｄが処理を開始するタイミングとを合わせる（同期をとる）ことができる。
また、上述した実施例では、カメラ３０に備えられたＣＰＵ３０６と、カメラ３０に備えられたマスター無線アダプタ１０とを用いて電子閃光装置２０Ａ〜２０Ｅの制御をする例を説明したがこれに限定されるものではない。例えば、ＣＰＵ３０６の機能とマスター無線アダプタ１０の機能とが電子閃光装置２０に備えられていてもよい。この場合、電子閃光装置２０が電子閃光装置２０Ａ〜２０Ｄの制御をすることができる。例えば、電子閃光装置２０が、電子閃光装置２０Ａ〜２０Ｄの発光量に関する情報と電子閃光装置２０Ａ〜２０Ｄの発光タイミングに関する情報とを含む本発光起動パケット、電子閃光装置２０Ａ〜２０Ｄの発光量に関する情報を含み電子閃光装置２０Ａ〜２０Ｄの発光タイミングに関する情報を含まない発光ゲインパケット、および、電子閃光装置２０Ａ〜２０Ｄの発光タイミングに関する情報を含み電子閃光装置２０Ａ〜２０Ｄの発光量に関する情報を含まない発光タイミングパケットの少なくとも１つを電子閃光装置２０Ａ〜２０Ｄに送信することができる。
【０１２４】
（変形例１−４）
上述した説明では、撮像素子３０３とは別に設けた測光センサ３０４によって、入射光の強さに応じた測光信号を出力させる例を説明した。しかしながら、カメラ３０は、必ずしも撮像素子３０３と別に測光センサ３０４を備える必要はない。専用の測光センサを設けないカメラの場合には、撮像素子３０３によって入射光の強さに応じた測光信号を出力させる。第２の実施の形態や、第３の実施の形態についても同様である。
【０１２５】
（第２の実施の形態）
図１３は、第２の実施の形態による撮影システムの構成を例示する図である。第２の実施の形態では、電波通信を行う無線アダプタ（マスター無線アダプタ１０、リモート無線アダプタ１０Ｄ、リモート無線アダプタ１０Ｅ）と、無線で光通信を行う光アダプタ（リモート光アダプタ１１０Ａ、リモート光アダプタ１１０Ｂ）とが混在する。異なる通信方式が存在する多灯フラッシュ撮影システムでは、電波通信により発光指示が行われる場合と、光通信により発光指示が行われる場合とで発光開始のタイミングがずれない発光制御が必要である。
このような場合の発光制御について、以下に説明する。
【０１２６】
図１３における多灯フラッシュ撮影システムは、マスター無線アダプタ１０および電子閃光装置２０の双方が装着されたカメラ３０と、リモート光アダプタ１１０Ａが装着された電子閃光装置２０Ａと、リモート光アダプタ１１０Ｂが装着された電子閃光装置２０Ｂと、リモート無線アダプタ１０Ｄが装着された電子閃光装置２０Ｄと、リモート無線アダプタ１０Ｅが装着された電子閃光装置２０Ｅと、によって構成される。
【０１２７】
電子閃光装置２０、および電子閃光装置２０Ａ、２０Ｂ、２０Ｄ、２０Ｅは、それぞれがカメラ３０のアクセサリシューと嵌合するカメラ取り付け脚を有する。図１３の例では、電子閃光装置２０がカメラ取り付け脚によって直接カメラ３０に装着され、電子閃光装置２０Ａ、２０Ｂは、カメラ取り付け脚によってリモート光アダプタ１１０Ａ、１１０Ｂにそれぞれ装着される。また、電子閃光装置２０Ｄ、２０Ｅは、カメラ取り付け脚によってリモート無線アダプタ１０Ｄ、１０Ｅにそれぞれ装着される。
【０１２８】
上述した第１の実施の形態及び第２の実施の形態において、電子閃光装置２０には、マスター光アダプタ（図示せず）が内蔵されていてもよい。マスター光アダプタは、例えば、受光センサ（図示せず）と、検出回路（図示せず）と、ＣＰＵ（図示せず）とを含む。このＣＰＵは、電子閃光装置２０のＣＰＵ２０３との間で有線通信を行う他、リモート光アダプタ１１０Ａ、１１０Ｂとの間で光による無線通信を行うことができる。
上述した第１の実施の形態及び第２の実施の形態において、カメラ３０、電子閃光装置２０、２０Ａ〜２０Ｄ（電子閃光装置２０、２０Ａ〜２０Ｅ）の少なくとも１つは、マスター光アダプタとしての機能と、リモート光アダプタとの機能とを有する光アダプタを有していてもよい。
上述した第１の実施の形態及び第２の実施の形態において、カメラ３０、電子閃光装置２０、２０Ａ〜２０Ｄ（電子閃光装置２０、２０Ａ〜２０Ｅ）の少なくとも１つは、マスター無線アダプタとしての機能と、リモート無線アダプタとの機能とを有する無線アダプタを有していてもよい。
上述した第１の実施の形態及び第２の実施の形態において、カメラ３０、電子閃光装置２０、２０Ａ〜２０Ｄ（電子閃光装置２０、２０Ａ〜２０Ｅ）の少なくとも１つには、光アダプタ（マスター光アダプタ及びリモート光アダプタの少なくとも一方）及び無線アダプタ（マスター無線アダプタ及びリモート無線アダプタの少なくとも一方）が設けられていてもよい。
上述した第１の実施の形態及び第２の実施の形態において、光アダプタ（マスター光アダプタ及びリモート光アダプタの少なくとも一方）及び無線アダプタ（マスター無線アダプタ及びリモート無線アダプタの少なくとも一方）は、カメラ３０、電子閃光装置２０、２０Ａ〜２０Ｄ（電子閃光装置２０、２０Ａ〜２０Ｅ）の少なくとも１つに内蔵されていてもよいし、カメラ３０、電子閃光装置２０、２０Ａ〜２０Ｄ（電子閃光装置２０、２０Ａ〜２０Ｅ）の少なくとも１つから着脱可能に備えられていてもよい。
【０１２９】
マスター無線アダプタ１０は、第１の実施の形態の場合と同様に、カメラ３０の側面の接続端子（不図示）に装着される。リモート光アダプタ１１０Ａ、１１０Ｂおよびリモート無線アダプタ１０Ｄ、１０Ｅは、それぞれ上記電子閃光装置２０Ａ、２０Ｂ、２０Ｄ、２０Ｅのカメラ取り付け脚と嵌合するアクセサリシューを有する。そして、リモート光アダプタ１１０Ａ、１１０Ｂのアクセサリシューに、電子閃光装置２０Ａ、２０Ｂが装着されており、リモート無線アダプタ１０Ｄ、１０Ｅのアクセサリシューに、電子閃光装置２０Ｄ、２０Ｅが装着されている。
【０１３０】
カメラ３０に装着された電子閃光装置２０は、アクセサリシューに備えられる不図示の端子を介してカメラ３０との間で有線通信する。カメラ３０の側面に装着されたマスター無線アダプタ１０は、不図示の接続端子を介してカメラ３０との間で有線通信する。
【０１３１】
マスター無線アダプタ１０は、リモート無線アダプタ１０Ｄ、およびリモート無線アダプタ１０Ｅとの間で電波による無線通信を行う。
【０１３２】
リモート光アダプタ１１０Ａと電子閃光装置２０Ａとは、リモート光アダプタ１１０Ａのアクセサリシューに備えられる不図示の端子を介して有線通信する。リモート光アダプタ１１０Ｂと電子閃光装置２０Ｂとは、リモート光アダプタ１１０Ｂのアクセサリシューに備えられる不図示の端子を介して有線通信する。
【０１３３】
リモート無線アダプタ１０Ｄと電子閃光装置２０Ｄとは、リモート無線アダプタ１０Ｄのアクセサリシューに備えられる不図示の端子を介して有線通信する。リモート無線アダプタ１０Ｅと電子閃光装置２０Ｅとは、リモート無線アダプタ１０Ｅのアクセサリシューに備えられる不図示の端子を介して有線通信する。
【０１３４】
なお、図１３の構成は、１台のカメラ３０と５台の電子閃光装置２０、２０Ａ、２０Ｂ、２０Ｄ、２０Ｅで構成する多灯フラッシュ撮影システムであって、電子閃光装置２０および電子閃光装置２０ＡをグループＡとし、電子閃光装置２０ＢをグループＢとし、電子閃光装置２０ＤをグループＤとし、電子閃光装置２０ＥをグループＥとする場合を例示する。
【０１３５】
多灯フラッシュ撮影システムは、例えば、光通信を行うリモート光アダプタのグループとして３つのグループ（グループＡ、グループＢ、グループＣ）を設けることが可能に構成される。本例ではグループＡおよびグループＢを使用する。
【０１３６】
また、多灯フラッシュ撮影システムは、例えば、電波通信を行うリモート無線アダプタのグループとして３つのグループ（グループＤ、グループＥ、グループＦ）を設けることが可能に構成される。このうち、本例ではグループＤおよびグループＥを使用する。
【０１３７】
電子閃光装置の総数は５台でなくてもよく、１台でも２台以上でもよい。また、各グループを構成する電子閃光装置の数や、グループの数も、適宜変更して構わない。
【０１３８】
第２の実施の形態では、電子閃光装置２０をリモート光アダプタ１１０Ａ、１１０Ｂへ信号を送る光通信用の光源として使用し、撮影用（すなわち撮影補助光源）として使用しない例を説明する。
なお、電子閃光装置２０を、リモート光アダプタ１１０Ａ、１１０Ｂへ信号を送る光通信用の光源として使用するとともに、撮影用（すなわち撮影補助光源）としても使用するようにしてもよい。
【０１３９】
図１４は、図３に例示した構成のうちのカメラ３０、マスター無線アダプタ１０、電子閃光装置２０、リモート光アダプタ１１０Ａ、および電子閃光装置２０Ａの構成を例示するブロック図である。第２の実施の形態では、リモート光アダプタ１１０Ａの構成が第１の実施の形態で説明した図３と異なるので、リモート光アダプタ１１０Ａを中心に説明する。
【０１４０】
なお、図１４のカメラ３０、マスター無線アダプタ１０、電子閃光装置２０、および電子閃光装置２０Ａの構成については、図３と同様であるので説明を省略する。
また、図１３の電子閃光装置２０Ｂ、電子閃光装置２０Ｄおよび電子閃光装置２０Ｅは、いずれも電子閃光装置２０Ａと同様の構成であるので説明を省略する。さらに、リモート無線アダプタ１０Ｄおよびリモート無線アダプタ１０Ｅは、いずれも上述したリモート無線アダプタ１０Ａと同様の構成であるので説明を省略する。
【０１４１】
＜リモート光アダプタ＞
図１４のリモート光アダプタ１１０Ａは、受光センサ１０３と、検出回路１０４と、ＣＰＵ１０５とを含む。ＣＰＵ１０５は、接続されている外部機器のＣＰＵ（電子閃光装置２０ＡのＣＰＵ２０３）との間で有線通信を行う他、カメラ３０側の電子閃光装置２０と光通信を行う。
【０１４２】
上記光通信は、電子閃光装置２０Ａを所定のタイミングで発光させるように、カメラ３０側の電子閃光装置２０から光によって発光指示が送られる通信をいう。
【０１４３】
受光センサ１０３は、電子閃光装置２０から発光指示として送信される変調光（光パルス列）を受光し、光電変換信号を検出回路１０４へ送出する。検出回路１０４は、光電変換されたパルス列をデコードしてＣＰＵ１０５へ送る。ＣＰＵ１０５は、検出回路１０４によって検出された発光指示を、電子閃光装置のＣＰＵ２０３へ送る。
【０１４４】
＜多灯撮影＞
多灯フラッシュ撮影を行う場合、カメラ３０のＣＰＵ３０６は、撮影者によるレリーズスイッチ（操作部材３０７）の押下操作（撮影指示）を検出してレリーズシーケンス処理を開始させる。そして、有線通信を介してマスター無線アダプタ１０および電子閃光装置２０へ発光指示を送出する。
【０１４５】
撮影指示に先立って、マスター無線アダプタ１０とリモート無線アダプタ１０Ｄ、１０Ｅ（すなわち電子閃光装置２０Ｄ、２０Ｅ）との間で電波通信が確立されているものとする。例えば、撮影者による操作によって、カメラ３０のＣＰＵ３０６は、発光対象であるリモート無線アダプタのグループとして、グループＤにリモート無線アダプタ１０Ｄを割り当てるとともに、グループＥにリモート無線アダプタ１０Ｅを割り当てる。マスター無線アダプタ１０は、リモート無線アダプタ１０Ｄ、１０Ｅとの間でそれぞれ無線接続を行い、マスター無線アダプタ１０と、リモート無線アダプタ１０Ｄ、１０Ｅとの間の電波通信を確立させる。
【０１４６】
同様に、撮影者による操作によって、カメラ３０のＣＰＵ３０６は、発光対象であるリモート光アダプタのグループとして、グループＡにリモート光アダプタ１１０Ａを割り当てるとともに、グループＢにリモート光アダプタ１１０Ｂを割り当てる。このように、発光対象にする電子閃光装置と、そのグループ割が、あらかじめ指定されているものとする。
【０１４７】
上記のように指定されたグループのうち、マスター無線アダプタ１０が電波通信するグループＤ、グループＥとの間の通信は、第１の実施の形態の場合と同様である。このため、電子閃光装置２０とグループＡ、グループＢとの間の光通信を中心に説明する
【０１４８】
−リモート光アダプタの通信−
電子閃光装置２０は、以下のようにリモート光アダプタ１１０Ａ、リモート光アダプタ１１０Ｂと光通信を行う。電子閃光装置２０は、例えば発光管２０１を点滅させることにより、変調光をリモート光アダプタ１１０Ａ、リモート光アダプタ１１０Ｂに向けて発する。変調光のパルス列には、例えば、発光指示としてのグループ情報、発光種別情報、および発光量情報が含められる。
【０１４９】
グループ情報は、発光対象のグループを示す情報である。本例の場合、光通信におけるグループＡまたはグループＢを示す情報が含まれる。発光種別情報は、モニタ発光または本発光を示す情報である。発光量情報は、発光量を示す情報である。
【０１５０】
光通信の発生頻度は、カメラ３０が発する発光指示の発生頻度と同じである。すなわち、モニタ発光や本発光の度に、カメラ３０側の電子閃光装置２０から各リモート光アダプタへ光通信が行われる。
【０１５１】
＜多灯撮影時の発光タイミング＞
各電子閃光装置２０および２０Ａ、２０Ｂ、２０Ｄ、２０Ｅの発光タイミングについて、図１５を参照して説明する。図１５は、第２の実施の形態による多灯フラッシュ撮影システムにおいて、ＴＴＬ調光制御を行う場合のタイミングを例示する図である。
【０１５２】
発光の大まかなタイムスケジュールを説明する。レリーズスイッチ（操作部材３０７）の押下操作（撮影指示）が行われると、時刻ｔ０において、カメラ３０のＣＰＵ３０６がレリーズシーケンス処理を開始させる。
【０１５３】
第２の実施の形態におけるＴＴＬ調光制御時のレリーズシーケンス処理では、ＣＰＵ３０６から指示を受けたシャッタ駆動装置３０５がシャッタ３０２を開駆動する前（本撮影露光前）に、カメラ３０（ＣＰＵ３０６）が各電子閃光装置２０Ａ、２０Ｂ、２０Ｄ、２０Ｅに対して、時刻ｔ１、ｔ３、ｔ５、ｔ７において上記グループ単位で順番に４回のモニタ発光（本発光前の予備発光）を行わせる。モニタ発光では、電子閃光装置２０および２０Ａ、２０Ｂ、２０Ｄ、２０Ｅが、それぞれのモニタ発光時の目標発光量（目標モニタ発光量）で発光する。
【０１５４】
カメラ３０の測光センサ３０４は、上記４回のモニタ発光のタイミングに合わせて、それぞれ被写体からの反射光を受光するように制御される（測光）。ＣＰＵ３０６は、測光センサ３０４から出力された測光信号に基づいて演算処理を行うことにより、電子閃光装置２０Ａ、２０Ｂ、２０Ｄ、２０Ｅの本発光時の目標発光量（目標本発光量）を演算する。目標本発光量の演算は、第１の実施の形態の場合と同様である。
【０１５５】
ＣＰＵ３０６は、シャッタ３０２が全開する時刻ｔ１０において、電子閃光装置２０Ａ、２０Ｂ、２０Ｄ、２０Ｅを略同時に本発光させる（本撮影露光）。本発光では、電子閃光装置２０Ａ、２０Ｂ、２０Ｄ、２０Ｅが、それぞれの目標本発光量で発光する。
【０１５６】
以下、各電子閃光装置２０および２０Ａ、２０Ｂ、２０Ｄ、２０Ｅの発光タイミングを詳細に説明する。
＜光通信を行うグループＡに対するモニタ発光の指示＞
時刻ｔ０にレリーズシーケンス処理を開始させたカメラ３０（ＣＰＵ３０６）は、電子閃光装置２０を介してグループＡのリモート光アダプタ１１０Ａへ、モニタ発光指示を光通信で送信する。
【０１５７】
グループＡに対するモニタ発光指示には、グループＡに対する指示であること、モニタ発光であること、および目標モニタ発光量が含められる。上述したように、目標モニタ発光量は、あらかじめ決められた所定値（本発光量に比べて数百分の１程度）である。
【０１５８】
＜グループＡのモニタ発光＞
モニタ発光指示を受信したグループＡのリモート光アダプタ１１０Ａは、接続される電子閃光装置２０Ａへモニタ発光指示を有線通信で送信する。モニタ発光指示を受けた電子閃光装置２０Ａは、時刻ｔ１において、目標モニタ発光量でモニタ発光を行う。電子閃光装置２０Ａがモニタ発光指示を受けた時刻ｔ０からモニタ発光する時刻ｔ１までの時間を発光開始時間（＝ｔｄ１）と呼ぶ。
【０１５９】
カメラ３０（ＣＰＵ３０６）は、時刻ｔ１からモニタ発光が行われる間に測光処理を行い、モニタ発光後にグループＡを対象とする上記演算処理を行わせる（Gr.A演算処理）。この演算処理により、電子閃光装置２０Ａの目標本発光量が算出される。
カメラ３０（ＣＰＵ３０６）が測光処理を開始するタイミングは、グループＡに対するモニタ発光指示を送信してから上記発光開始時間（ｔｄ１）の経過後である。
【０１６０】
＜光通信を行うグループＢに対するモニタ発光の指示＞
カメラ３０（ＣＰＵ３０６）は、時刻ｔ２において、電子閃光装置２０を介してグループＢのリモート光アダプタ１１０Ｂへ、モニタ発光指示を光通信で送信する。時刻ｔ２は、時刻ｔ１からグループ間のモニタ発光間隔Ｔ（上記インターバル時間）が経過する時刻ｔ３より、上記発光開始時間（ｔｄ１）だけ遡った時刻である。
【０１６１】
グループＢに対するモニタ発光指示には、グループＢに対する指示であること、モニタ発光であること、および目標モニタ発光量が含められる。上述したように、目標モニタ発光量は、あらかじめ決められた所定値（本発光量に比べて数百分の１程度）である。
【０１６２】
＜グループＢのモニタ発光＞
モニタ発光指示を受信したグループＢのリモート光アダプタ１１０Ｂは、接続される電子閃光装置２０Ｂへモニタ発光指示を有線通信で送信する。モニタ発光指示を受けた電子閃光装置２０Ｂは、時刻ｔ３において、目標モニタ発光量でモニタ発光を行う。
【０１６３】
カメラ３０（ＣＰＵ３０６）は、時刻ｔ３からモニタ発光が行われる間に測光処理を行い、モニタ発光後にグループＢを対象とする上記演算処理を行わせる（Gr.B演算処理）。この演算処理により、電子閃光装置２０Ｂの目標本発光量が算出される。
カメラ３０（ＣＰＵ３０６）が測光処理を開始するタイミングは、グループＢに対するモニタ発光指示を送信してから上記発光開始時間（ｔｄ１）の経過後である。
【０１６４】
＜電波通信を行うグループＤ、グループＥに対するモニタ発光の指示＞
一方、時刻ｔ０にレリーズシーケンス処理を開始させたカメラ３０（ＣＰＵ３０６）は、時刻ｔ０においてマスター無線アダプタ１０を介してリモート無線アダプタ１０Ｄ、リモート無線アダプタ１０Ｅへ、モニタ発光起動コマンドを電波通信でブロードキャスト送信する。レリーズシーケンス処理中の電波通信は、各リモート無線アダプタ１０Ｄ、１０Ｅからの返信（ack）を要求しない一方方向の送信を複数回（例えば１０回）繰り返す。
【０１６５】
＜グループＤのモニタ発光＞
電波通信を行うグループＤのリモート無線アダプタ１０Ｄのモニタ発光は、第１の実施の形態の場合と同様である。すなわち、モニタ発光起動コマンドを受信したリモート無線アダプタ１０Ｄは、接続される電子閃光装置２０Ｄへモニタ発光起動コマンドを有線通信で送信する。本例の電子閃光装置２０Ｄは、３番目にモニタ発光するグループＤである。このため、電子閃光装置２０Ｄは、１番目の電子閃光装置１０Ａの発光タイミングに対応する時刻ｔ１から上記グループ間のモニタ発光間隔Ｔ（インターバル時間）×２が経過した時刻ｔ５において、目標モニタ発光量でモニタ発光を行う。
【０１６６】
カメラ３０（ＣＰＵ３０６）は、時刻ｔ５からモニタ発光が行われる間に測光処理を行い、モニタ発光後にグループＤを対象とする上記演算処理を行わせる（Gr.D演算処理）。この演算処理により、電子閃光装置２０Ｄの目標本発光量が算出される。
なお、測光処理のタイミングとモニタ発光のタイミングとを合わせるように、モニタ発光起動コマンドに含める発光開始時間およびモニタ発光間隔Ｔが決められている。
【０１６７】
＜グループＥのモニタ発光＞
電波通信を行うグループＥのリモート無線アダプタ１０Ｅのモニタ発光も、第１の実施の形態の場合と同様である。すなわち、モニタ発光起動コマンドを受信したリモート無線アダプタ１０Ｅは、接続される電子閃光装置２０Ｅへモニタ発光起動コマンドを有線通信で送信する。本例の電子閃光装置２０Ｅは、４番目にモニタ発光するグループＥである。このため、電子閃光装置２０Ｅは、時刻ｔ１から上記グループ間のモニタ発光間隔Ｔ（インターバル時間）×３が経過した時刻ｔ７において、目標モニタ発光量でモニタ発光を行う。
【０１６８】
カメラ３０（ＣＰＵ３０６）は、時刻ｔ７からモニタ発光が行われる間に測光処理を行い、モニタ発光後にグループＥを対象とする上記演算処理を行わせる（Gr.E演算処理）。この演算処理により、電子閃光装置２０Ｅの目標本発光量が算出される。
測光処理のタイミングとモニタ発光のタイミングとを合わせるように、モニタ発光起動コマンドに含める発光開始時間およびモニタ発光間隔Ｔが決められている。
【０１６９】
カメラ３０（ＣＰＵ３０６）は、上記グループＥを対象とする演算処理に続いて、時刻ｔ８において本撮影露光に備えて所定の総合演算処理を行う。
【０１７０】
＜光通信を行うグループＡ、グループＢに対する本発光の指示＞
総合演算処理後の時刻ｔ９において、カメラ３０（ＣＰＵ３０６）は、電子閃光装置２０を介してグループＡのリモート光アダプタ１１０Ａ、およびグループＢのリモート光アダプタ１１０Ｂへそれぞれ、本発光指示を光通信で送信する。
【０１７１】
本発光指示には、グループＡ、グループＢに対する指示であること、本発光であること、および各目標本発光量が含められる。
【０１７２】
＜グループＡ、グループＢの本発光＞
本発光指示を受信したグループＡのリモート光アダプタ１１０Ａは、接続される電子閃光装置２０Ａへ本発光指示を有線通信で送信する。また、本発光指示を受信したグループＢのリモート光アダプタ１１０Ｂは、接続される電子閃光装置２０Ｂへ本発光指示を有線通信で送信する。
【０１７３】
本発光指示を受けた電子閃光装置２０Ａおよび電子閃光装置２０Ｂは、発光制御回路２０２において放電発光に必要なエネルギーを蓄積し、本発光トリガを待つ。時刻ｔ１０において、カメラ３０（ＣＰＵ３０６）は、電子閃光装置２０を介して本発光トリガをグループＡのリモート光アダプタ１１０Ａ、およびグループＢのリモート光アダプタ１１０Ｂへ光通信で送信する。本発光トリガは、例えば、発光管２０１を小光量（例えば、本発光量に比べて数百分の１程度）で１回パルス発光させる。
【０１７４】
本発光トリガを受信したグループＡのリモート光アダプタ１１０Ａは、接続される電子閃光装置２０Ａへ本発光トリガを有線通信で送信する。また、本発光トリガを受信したグループＢのリモート光アダプタ１１０Ｂは、接続される電子閃光装置２０Ｂへ本発光トリガを有線通信で送信する。
【０１７５】
本発光トリガを受けた電子閃光装置２０Ａおよび電子閃光装置２０Ｂは、それぞれの目標本発光量で本発光を行う。
【０１７６】
＜電波通信を行うグループＤ、グループＥに対する本発光の指示＞
一方、総合演算処理後の時刻ｔ９において、カメラ３０（ＣＰＵ３０６）はさらに、マスター無線アダプタ１０を介してリモート無線アダプタ１０Ｄ、リモート無線アダプタ１０Ｅへ、本発光起動コマンドを電波通信でブロードキャスト送信する。レリーズシーケンス処理中の電波通信であるので、各リモート無線アダプタ１０Ｄ、１０Ｅからの返信（ack）を要求しない一方方向の送信を複数回（例えば１０回）繰り返す。
【０１７７】
本発光起動コマンドには、本発光タイミング（時刻ｔ９から時刻ｔ１０までの発光開始時間＝td2）と、各電子閃光装置２０Ｄ、２０Ｅの目標本発光量と、が含められる。
【０１７８】
本発光起動コマンドを受信したリモート無線アダプタ１０Ｄ。１０Ｅは、それぞれ接続される電子閃光装置２０Ｄ、２０Ｅへ本発光起動コマンドを有線通信で送信する。
【０１７９】
＜グループＤ、グループＥの本発光＞
上記本発光起動コマンドを受信した電子閃光装置２０Ｄ、および電子閃光装置２０Ｅは、上記本発光タイミング（発光開始時間＝td2）に対応する時刻ｔ１０において、それぞれ目標本発光量で本発光を行う。シャッタ３０２が全開するタイミング（本撮影露光開始）と、本発光のタイミングとを合わせるように、本発光起動コマンドに含める発光開始時間＝td2が決められている。
なお、カメラ３０（ＣＰＵ３０６）が電子閃光装置２０を介して送信する上記本発光トリガのタイミングは、本発光起動コマンドに含める発光開始時間＝td2に対応させるように決められている。これにより、光通信により発光指示が行われるグループＡ、グループＢの本発光タイミングと、電波通信により発光指示が行われるグループＤ、グループＥの本発光タイミングとが揃う。
【０１８０】
＜フローチャートの説明＞
図１６は、第２の実施の形態による撮影処理の流れを説明するフローチャートである。カメラ３０のＣＰＵ３０６は、撮影者によるレリーズスイッチ（操作部材３０７）の押下操作（撮影指示）を検出すると、図１６のフローチャートによる処理を開始させる。
【０１８１】
図１６のステップＳ１において、ＣＰＵ３０６は、通信方式が混在するか否かを判定する。ＣＰＵ３０６は、撮影システムに、電波通信を行う無線アダプタと、光通信を行う無線アダプタとが存在する場合にステップＳ１を肯定判定してステップＳ２へ進む。ＣＰＵ３０６は、撮影システムに光通信を行う無線アダプタが存在しない場合は、ステップＳ１を否定判定して図１０のステップＳ１０へ進み、電波通信を行う無線アダプタのみが存在する第１の実施の形態と同様の処理を行う。
なお、撮影システムに光通信を行う無線アダプタのみが存在する場合、ＣＰＵ３０６は後述するステップＳ３以降の処理を行う。
【０１８２】
ステップＳ２において、ＣＰＵ３０６は、電波通信処理としてマスター無線アダプタ１０からモニタ発光起動コマンド（モニタ発光起動パケット）を送信させてステップＳ３へ進む（図１５の時刻ｔ０）。
【０１８３】
上記モニタ発光起動パケットに基づき、電子閃光装置２０Ｄおよび２０Ｅにより、上述した時間情報で指定された時間の経過後（本例では後述するステップＳ７の処理時）にモニタ発光の処理が開始される。
【０１８４】
ステップＳ３において、ＣＰＵ３０６は、光通信処理として電子閃光装置２０へモニタ発光起動コマンドを送信してステップＳ４へ進む（図１５の時刻ｔ０）。電子閃光装置２０は、上記モニタ発光起動コマンドに基づき、モニタ発光指示をのせた変調光を発光管２０１から発する。
上記モニタ発光指示に基づき、電子閃光装置２０Ａおよび２０Ｂによってモニタ発光の処理が開始される。
【０１８５】
ステップＳ４において、ＣＰＵ３０６は、測光処理を開始してステップＳ５へ進む。ステップＳ５において、ＣＰＵ３０６は、目標本発光量の演算処理を開始してステップＳ６へ進む。ステップＳ６において、ＣＰＵ３０６は、光通信によるモニタ発光が終了したか否かを判定する。ＣＰＵ３０６は、モニタ発光の対象であるグループＡ、グループＢにおいてモニタ発光を終了している場合、ステップＳ６を肯定判定してステップＳ７へ進む。ＣＰＵ３０６は、モニタ発光の対象であるグループＡ、グループＢにおいてモニタ発光を終了していない場合、ステップＳ６を否定判定してステップＳ３へ戻る。ステップＳ３へ戻る場合のＣＰＵ３０６は、残りのグループのモニタ発光に合わせて測光処理を繰り返す。
【０１８６】
ステップＳ７において、ＣＰＵ３０６は、上述した時間情報で指定された時間の経過後に測光処理を開始してステップＳ８へ進む。ステップＳ８において、ＣＰＵ３０６は、目標本発光量の演算処理を開始してステップＳ９へ進む。ステップＳ９において、ＣＰＵ３０６は、電波通信によるモニタ発光が終了したか否かを判定する。ＣＰＵ３０６は、モニタ発光の対象であるグループＤ、グループＥにおいてモニタ発光を終了している場合、ステップＳ９を肯定判定して図１０のステップＳ５０へ進む。
【０１８７】
一方、ＣＰＵ３０６は、モニタ発光の対象であるグループＤ、グループＥにおいてモニタ発光を終了していない場合、ステップＳ９を否定判定してステップＳ７へ戻る。ステップＳ７へ戻る場合のＣＰＵ３０６は、残りのグループのモニタ発光に合わせて測光処理を繰り返す。
【０１８８】
なお、図１０のステップＳ５０へ進んだ場合、ＣＰＵ３０６は図１０を参照して説明した処理を行うが、ステップＳ７０においては以下の処理を行う。すなわち、ＣＰＵ３０６は、光通信処理として電子閃光装置２０へ本発光起動コマンドを送信するとともに、電波通信処理としてマスター無線アダプタ１０を介してリモート無線アダプタ１０Ｄ、１０Ｅへ、本発光起動コマンドをブロードキャスト送信する（図１５の時刻ｔ９）。
これにより、電子閃光装置２０は、上記本発光起動コマンドに基づき、本発光指示をのせた変調光を発光管２０１から発する。
【０１８９】
さらに、ＣＰＵ３０６は、光通信処理として電子閃光装置２０へ本発光トリガを送信する（図１５の時刻ｔ１０）。電子閃光装置２０は、上記本発光トリガに基づき、発光管２０１を小光量でパルス発光させる。
【０１９０】
上述した処理により、電子閃光装置２０Ａ、２０Ｂ、２０Ｄおよび２０Ｅにより、シャッタ３０２が全開する図１５の時刻ｔ１０において本発光が行われる。
【０１９１】
上述した第２の実施の形態によれば、次の作用効果が得られる。
（１）発光制御装置として機能する撮影システムは、少なくとも１つの電子閃光装置を含む複数の電子閃光装置２０Ａ、２０Ｂ、２０Ｄ、２０Ｅグループのそれぞれに対して、光を用いた光通信を行うか、電波を用いた電波通信を行うかを決定するＣＰＵ３０６と、ＣＰＵ３０６により光を用いた光通信を行うことが決定されたグループに対して、光を用いた光通信を行うように制御を行い、ＣＰＵ３０６により電波を用いた電波通信を行うことが決定されたグループに対して、電波を用いた電波通信を行うように制御を行うＣＰＵ３０６とを有する。これにより、電波通信を行うグループと、光通信を行うグループとが混在する場合に、電子閃光装置２０Ａ、２０Ｂ、２０Ｄ、２０Ｅに対する制御情報を適切に送信させることができる。
【０１９２】
（２）撮影システムは、ＣＰＵ３０６により光を用いた光通信を行うことが決定されたグループに対して、光を用いた光通信で第１制御情報を送信する電子閃光装置２０と、ＣＰＵ３０６により電波を用いた電波通信を行うことが決定されたグループに対して、電波を用いた電波通信で第２制御情報を送信するマスター無線アダプタ１０とを有するので、電波通信を行うグループと、光通信を行うグループとが混在する場合に、電子閃光装置２０Ａ、２０Ｂ、２０Ｄ、２０Ｅに対する制御情報を適切に送信させることができる。
【０１９３】
（３）上記第１制御情報および第２制御情報は、電子閃光装置２０Ａ、２０Ｂ、２０Ｄ、２０Ｅに対する撮影補助光の発光指示を含み、カメラ３０のＣＰＵ３０６は、撮影指示を受けてから、電子閃光装置２０からの第１制御情報の送信と、マスター無線アダプタ１０からの第２制御情報の送信とを行わせる。これにより、光通信を行うグループと、電波通信を行うグループとが混在する場合に、電子閃光装置２０Ａ、２０Ｂ、２０Ｄ、２０Ｅに対する発光指示を適切に送信することができる。
【０１９４】
（４）カメラ３０のＣＰＵ３０６は、電子閃光装置２０からモニタ発光を指示する第１制御情報を送信させた後に、マスター無線アダプタ１０からモニタ発光を指示する第２制御情報を送信させる。光通信で通信するグループへ先に第１制御情報を送信することで、モニタ発光から本発光までの時間を空けることができる。これにより、例えば、第１制御情報を送信する電子閃光装置２０から本発光させる場合には、上記空けた時間を、電子閃光装置２０の発光制御回路２０２において本発光に必要なエネルギーの蓄積時間に使えて好都合である。
【０１９５】
（５）上記マスター無線アダプタ１０は、電波通信による第２制御情報を複数回（例えば１０回）繰り返し送信するようにした。通信状態が悪い環境（例えば、電磁雑音が多い環境や、他の通信機器が発信する電波との干渉が大きい環境など）のもとで、受信側において制御情報が受信される確率を高めることができる。また、通信状態を判断する判断部を有し、通信状態が所定の閾値よりも悪い（所定の閾値よりも環境ノイズが多い）と判断されたとき、通信状態が所定の閾値よりも悪いと判断されなかったときよりも第２制御情報の送信回数を増やしてもよい。
【０１９６】
（６）カメラ３０のＣＰＵ３０６は、電子閃光装置２０Ａ、２０Ｂ、２０Ｄ、２０Ｅの中からマスター無線アダプタ１０による通信を受け付ける電子閃光装置２０Ｄ、２０Ｅを検出し、検出した電子閃光装置２０Ｄ、２０Ｅを電波を用いた通信を行うグループとする。これにより、撮影者が全ての設定を手作業で行う場合に比べて、設定作業を少なくすることができる。
また、ＣＰＵ３０６は、光通信のみが可能な電子閃光装置を有するグループと、電波通信のみが可能な電子閃光装置を有するグループと、光通信及び電波通信が可能な電子閃光装置を有する（光通信のみが可能な電子閃光装置または電波通信のみが可能な電子閃光装置を有しない）グループとがある場合において、光通信のみが可能な電子閃光装置を有するグループを光を用いた通信を行うグループとして決定し、電波通信のみが可能な電子閃光装置を有するグループを電波を用いた通信を行うグループとして決定した後、光通信及び電波通信が可能な電子閃光装置を有するグループを、光を用いた通信を行うグループ又は電波を用いた通信を行うグループとして決定してもよい。
また、ＣＰＵ３０６は、撮影者により光通信のみが可能な電子閃光装置と電波通信のみが可能な電子閃光装置とが同一のグループに設定されたことを検出し、警告表示をしてもよい。
【０１９７】
次のような変形も発明の範囲内であり、変形例の一つ、もしくは複数を上述の実施の形態と組み合わせることも可能である。
（変形例２−１）
第２の実施の形態では、電波通信により発光指示が行われる電子閃光装置が、撮影者による操作によって決定される例を説明した。上記の決定を、カメラ３０のＣＰＵ３０６が自動で行うようにしてもよい。電子閃光装置のＣＰＵ２０３は、例えば電源オン時に、リモート無線アダプタを介してマスター無線アダプタ１０へ無線接続を要求する。この要求には、自己（電子閃光装置）の存在と、設定されているグループを示す情報を含める。なお、グループについてはあらかじめ撮影者による操作によって決定されている。
【０１９８】
カメラ３０のＣＰＵ３０６は、無線接続を要求した電子閃光装置（リモート無線アダプタ）については電波通信可能なグループであると認識し、このグループに対する発光指示を電波通信により行い、光通信による発光指示をしないこととする。
一方、ＣＰＵ３０６は、撮影者による操作によって光通信により発光指示を行う決定をしている電子閃光装置（リモート光アダプタ）のグループに対しては、発光指示を光通信により行い、電波通信による発光指示をしないこととする。
【０１９９】
（変形例２−２）
リモート無線アダプタの電波通信機能と、リモート光アダプタの光通信機能の両方を備えたリモート両対応アダプタを設け、このリモート両対応アダプタに電子閃光装置を装着してもよい。リモート両対応アダプタに装着された電子閃光装置は、電波通信による発光指示と、光通信による発光指示の双方を受け付け可能になる。変形例２−２において、カメラ３０のＣＰＵ３０６は、リモート両対応アダプタに装着された電子閃光装置に対する発光指示を、通常、電波通信によって行う。
【０２００】
すなわち、変形例２−２による電子閃光装置は、撮影補助光を発する発光管２０１と、撮影補助光の発光指示を含む制御情報を、光通信による通信方式で通信するリモート両対応アダプタ、および電波通信による通信方式で通信するリモート両対応アダプタでそれぞれ受信させるＣＰＵ２０３と、電波通信による発光指示がリモート両対応アダプタで受信された場合に発光管２０１を発光させる場合でも、光通信による発光指示がリモート両対応アダプタで受信された場合には発光管２０１を発光させるＣＰＵ２０３とを備える。
【０２０１】
例えば、電波が混信するなどして通信環境が悪く、電波通信による発光指示をリモート両対応アダプタが正しく受信できない可能性がある。しかしながら、変形例２−２によれば、発光指示を電波通信によって受け取ることになっていても、他の電子閃光装置による発光をトリガにして発光することが可能になる。つまり、リモート両対応アダプタが他の電子閃光装置で発せられた光を受光し、これを発光トリガとして電子閃光装置へ送信する。これにより、電波通信による発光指示が正常に伝わらない場合でも発光を行わせることができる。
【０２０２】
上記と逆に、発光指示を光通信によって受け取ることになっていても、電波通信による発光指示を受け取った場合に発光するようにしてもよい。これにより、光通信のパルス光が届かないなど発光指示が正常に伝わらない場合でも発光を行わせることができる。
また、上述した実施例では、カメラ３０に備えられたＣＰＵ３０６と、カメラ３０に備えられたマスター無線アダプタ１０とを用いて電子閃光装置２０Ａ〜２０Ｅの制御をする例を説明したがこれに限定されるものではない。例えば、ＣＰＵ３０６の機能とマスター無線アダプタ１０の機能とが電子閃光装置２０に備えられていてもよい。この場合、電子閃光装置２０が電子閃光装置２０Ａ〜２０Ｅの制御をすることができる。例えば、電子閃光装置２０が光を用いた光通信を行うことが決定されたグループに対して光を用いた光通信を行うように制御を行い、電波を用いた電波通信を行うことが決定されたグループに対して電波を用いた電波通信を行うことができる。
【０２０３】
（第３の実施の形態）
第３の実施形態では、カメラ３０のＣＰＵ３０６が行う目標本発光量の演算例について説明する。上述したように、ＣＰＵ３０６は、測光センサ３０４から出力された測光信号に基づいて、電子閃光装置の本発光時の目標発光量（目標本発光量）を演算する。
【０２０４】
説明をわかりやすくするために、図１の撮影システムのうち、カメラ３０に装着された電子閃光装置２０を使用する場合を説明する。
【０２０５】
例えば、撮影場面は以下の通りである。撮影者は、主要被写体（例えば人物）より明るい夜の背景（例えば月、イルミネーション等）のもとで、上記主要被写体を撮影する。このとき、撮影補助光として、電子閃光装置２０を発光させる。ここで、主要被写体とは、電子閃光装置２０が発する照明光の光束が届く範囲の被写体、すなわち、撮影補助光によって露出制御を行い得る被写体をいう。背景は、電子閃光装置２０が発する光束が届かない被写体、すなわち、撮影補助光による露出制御を行うことができない被写体をいう。
【０２０６】
カメラ３０は、主要被写体を適正露出に制御するだけでなく、できるだけ背景も適正露出に近づける第１露出モードと、専ら主要被写体を適正露出に制御する第２露出モード（例えば、第１撮影モードに設定された場合と比較して背景が適正露出になるモード）とが切り替え可能に構成されている。第３の実施の形態では、例えば、操作部材３０７を構成する露出モード切り替えスイッチにより、第１露出モードと第２露出モードとが切り替えられる。
【０２０７】
＜フローチャートの説明＞
図１７、図１８は、カメラ３０のＣＰＵ３０６が、撮影者によるメインスイッチ（３０７）のオン操作など（レリーズスイッチ（操作部材３０７）の半押し操作、アイコンのタップ操作でもよい）を検出して開始させるカメラ処理の流れを例示するフローチャートである。ＣＰＵ３０６は、オン状態の場合に図１７、図１８による処理を繰り返し行う。図１７のステップＳ２１０において、ＣＰＵ３０６は、撮影準備動作を開始し、測光処理を行ってステップＳ２２０へ進む。具体的には、電子閃光装置２０を発光させない状態でエリアセンサ３０４に蓄積処理を行わせる。
【０２０８】
ステップＳ２２０において、ＣＰＵ３０６は、以下のように演算処理を行う。すなわち、ステップＳ２１０で得たエリアセンサ３０４からの出力信号に基づき、次式（１）を用いて背景光による被写界輝度ＢＶを算出する。
ＢＶ＝Log２(Ｖｏ)＋ＢｖＣｏｎｓｔ          ……（１）
上式（１）において、Log２()は、２を底とした引数の対数値を返す関数である。Ｖｏは、ステップＳ２１０におけるエリアセンサ３０４の出力をＡ／Ｄ変換した値であり、光量に比例した値である。Ｖｏは、例えば０〜１０２３の値をとる。ＢｖＣｏｎｓｔは、輝度値を算出するための定数項である。
【０２０９】
ステップＳ２３０において、ＣＰＵ３０６は、第１露出モードか否かを判定する。ＣＰＵ３０６は、第１露出モードに切り替えられている場合はステップＳ２３０を肯定判定してステップＳ２４０へ進み、第２露出モードに切り替えられている場合はステップＳ２３０を否定判定してステップＳ２９０へ進む。
【０２１０】
ステップＳ２４０において、ＣＰＵ３０６は、第１の撮像感度の決定を行ってステップＳ２５０へ進む。第１の撮像感度ＳＶＰｒｅ１は、次式（２）により算出する。
ＳＶＰｒｅ１＝ＡＶ＋ＴＶ−ＢＶ−ＳｖＯｆｓ          ……（２）
上式（２）において、ＡＶは撮影時の絞り値であり、単位系はＡＰＥＸである。また、ＴＶは撮影時のシャッタ秒時設定であり、単位系はＡＰＥＸである。さらに、ＢＶは上式（１）により算出した背景光による被写界輝度ＢＶであり、単位系はＡＰＥＸである。ＳｖＯｆｓは電子閃光装置を使用して撮影する際に撮像感度に加味する値であり、固定値または、ユーザーが設定した撮影モード設定やシンクロモード、初期設定感度、使用する閃光装置に依存して決定する。
【０２１１】
ステップＳ２９０において、ＣＰＵ３０６は、第２の撮像感度の決定を行ってステップＳ２５０へ進む。第２の撮像感度ＳＶＰｒｅ２は、次式（３）により算出する。
ＳＶＰｒｅ２＝ＳＶＣｏｎｓｔ          ……（３）
上式（３）において、ＳＶＣｏｎｓｔは固定値または撮影者が事前に設定した値であり、被写界輝度ＢＶには依存しない。
【０２１２】
ステップＳ２５０において、ＣＰＵ３０６は、撮影指示の有無を判定する。ＣＰＵ３０６は、レリーズスイッチ（操作部材３０７）の押下操作（撮影指示）を検出した場合にステップＳ２５０を肯定判定してステップＳ２６０へ進み、レリーズスイッチ（操作部材３０７）の押下操作（撮影指示）を検出しない場合には、ステップＳ２５０を否定判定して処理を終了する。
【０２１３】
ステップＳ２６０において、ＣＰＵ３０６は、電子閃光装置２０へモニタ発光指示を送信してステップＳ２７０へ進む。モニタ発光指示として、例えば、上述したモニタ発光起動パケットを送る。これにより、電子閃光装置２０が上述した時間情報で指定された時間の経過後にモニタ発光を開始する。
【０２１４】
ステップＳ２７０において、ＣＰＵ３０６は、測光処理を行ってステップＳ２８０へ進む。具体的には、上述した時間情報で指定された時間の経過後にエリアセンサ３０４に蓄積処理を行わせる。これにより、エリアセンサ３０４がモニタ発光のタイミングに合わせて被写体からの反射光を受光する
【０２１５】
ステップＳ２８０において、ＣＰＵ３０６は以下のように演算処理を行い、暫定本発光量ＧＮＴｅｍｐを決定する。すなわち、ステップＳ２７０で得たエリアセンサ３０４からの出力信号に基づき、次式（４）により算出する。
ＧＮＴｅｍｐ＝−Log２(ＰｒｅＶｏ)−ＳＶ＋ＧＮＣｏｎｓｔ    …（４）
上式（４）において、ＧＮＴｅｍｐはガイドナンバーを対数化したＡＰＥＸ単位系である。ＰｒｅＶｏは、ステップＳ２７０におけるモニタ発光を行った際のエリアセンサ３０４の出力をＡ／Ｄ変換した値である。ＳＶは、ステップＳ２４０またはＳ２９０で決定した撮像感度である。ＧＮＣｏｎｓｔは、エリアセンサ３０４や撮影レンズ３０１に依存した発光量を算出するための定数である。
【０２１６】
図１８のステップＳ３００において、ＣＰＵ３０６は、第１露出モードか否かを判定する。ＣＰＵ３０６は、第１露出モードに切り替えられている場合はステップＳ３００を肯定判定してステップＳ３１０へ進み、第２露出モードに切り替えられている場合はステップＳ３００を否定判定してステップＳ３７０へ進む。
【０２１７】
ステップＳ３１０において、ＣＰＵ３０６は、第１の撮像感度の変更制御を行う。ＣＰＵ３０６は、初めに、撮像感度の変更量が背景光露出をオーバーしないように、次式（５）により撮像感度の上げ幅の最大値ΔＳＶＭａｘを算出する。
ΔＳＶＭａｘ＝ＡＶ＋ＴＶ−ＢＶ−ＳＶＰｒｅ１          ……（５）
上式（５）において、ＡＶは撮影時の絞り値であり、ＴＶは撮影時のシャッタ秒時設定であり、いずれも単位系はＡＰＥＸである。ＢＶは上式（１）により算出した背景光による被写界輝度ＢＶであり、単位系はＡＰＥＸである。また、ＳＶＰｒｅ１は、上式（２）により算出した第１の撮像感度であり、単位系はＡＰＥＸである。
【０２１８】
次に、ＣＰＵ３０６は、撮像感度の変更量ΔＳＶを次式（６）により決定する。
ΔＳＶ＝ＧＮＭｉｎ−ＧＮＴｅｍｐ          ……（６）
上式（６）において、ＧＮＭｉｎは、電子閃光装置２０の最小発光量であり、ガイドナンバーを対数化したＡＰＥＸ単位系である。最小発光量のガイドナンバーは、あらかじめ電子閃光装置２０からＣＰＵ３０６へ有線通信で送信されている。ＧＮＴｅｍｐは、上式（４）により算出された暫定本発光量である。
【０２１９】
ＣＰＵ３０６は、上式（６）により算出されたΔＳＶが上式（５）により算出されたΔＳＶＭａｘよりも大きい場合には、ΔＳＶをΔＳＶＭａｘに置換する。ＣＰＵ３０６はさらに、撮影に用いる撮像感度ＳＶを次式（７）により算出し、ステップＳ３２０へ進む。
ＳＶ＝ＳＶＰｒｅ１＋ΔＳＶ          ……（７）
上式（７）において、ＳＶＰｒｅ１は、上式（２）により算出した第１の撮像感度であり、単位系はＡＰＥＸである。
【０２２０】
上式（７）により算出された撮像感度ＳＶは、例えば、背景光の露出を適正にするように、撮影準備状態における感度を上げて、電子閃光装置２０の本発光量を可能な限り制御範囲内で最小にするような撮像感度である。例えば、夜景を背景とする人物の撮影であれば、電子閃光装置２０が発する光束が到達しない背景の夜景と、電子閃光装置２０が発する光束が到達する人物の両方を適正露出に近づける制御を行うことができる。
【０２２１】
上述したステップＳ３００を否定判定して進むステップＳ３７０において、ＣＰＵ３０６は、第２の撮像感度の変更制御を行う。ＣＰＵ３０６は、暫定本発光量ＧＮＴｅｍｐが次式（８）を満たす場合には、撮像感度を上げるように感度の変更量ΔＳＶを次式（９）により算出する。
ＧＮＴｅｍｐ＞ＧＮＭａｘ                  ……（８）
ΔＳＶ＝ＧＮＭａｘ−ＧＮＴｅｍｐ          ……（９）
上式（８）、（９）において、ＧＮＭａｘは、電子閃光装置２０の最大発光量であり、ガイドナンバーを対数化したＡＰＥＸ単位系である。最大発光量のガイドナンバーは、あらかじめ電子閃光装置２０からＣＰＵ３０６へ有線通信で送信されている。
【０２２２】
ＣＰＵ３０６は、撮像感度の変更量が背景光露出をオーバーしないように、次式（１０）により撮像感度の上げ幅の最大値ΔＳＶＭａｘを算出する。
ΔＳＶＭａｘ＝ＡＶ＋ＴＶ−ＢＶ−ＳＶＰｒｅ２          …（１０）
上式（１０）において、ＡＶは撮影時の絞り値であり、ＴＶは撮影時のシャッタ秒時設定であり、いずれも単位系はＡＰＥＸである。ＢＶは上式（１）により算出した背景光による被写界輝度ＢＶであり、単位系はＡＰＥＸである。また、ＳＶＰｒｅ２は、上式（３）により算出した第２の撮像感度であり、単位系はＡＰＥＸである。
【０２２３】
ＣＰＵ３０６は、上式（９）により算出されたΔＳＶが上式（１０）により算出されたΔＳＶＭａｘよりも大きい場合には、ΔＳＶをΔＳＶＭａｘに置換する。
【０２２４】
一方、ＣＰＵ３０６は、暫定本発光量ＧＮＴｅｍｐが次式（１１）を満たしている場合には、撮像感度を下げるように感度の変更量ΔＳＶを次式（１２）により算出する。
ＧＮＴｅｍｐ＜ＧＮＭｉｎ                  ……（１１）
ΔＳＶ＝ＧＮＭｉｎ−ＧＮＴｅｍｐ          ……（１２）
上式（１１）、（１２）において、ＧＮＭｉｎは、電子閃光装置２０の最小発光量である。上述したように、最小発光量のガイドナンバーはあらかじめ電子閃光装置２０からＣＰＵ３０６へ有線通信で送信されている。
【０２２５】
ＣＰＵ３０６は、撮像感度を上げる場合も、下げる場合も、撮影に用いる撮像感度ＳＶを次式（１３）により算出し、ステップＳ３２０へ進む。
ＳＶ＝ＳＶＰｒｅ２＋ΔＳＶ          ……（１３）
上式（１３）により算出された撮像感度ＳＶは、例えば、電子閃光装置２０の本発光量を可能な限り制御範囲内で最大にするような撮像感度であり、背景光の露出は考慮しない。このため、上式（１３）により算出される撮像感度ＳＶは、上式（７）により算出される撮像感度ＳＶに比べて低い。例えば、夜景を背景とする人物の撮影であれば、電子閃光装置２０が発する光束が到達する人物は適正露出に制御し得るが、電子閃光装置２０が発する光束が到達しない背景は露出アンダーとなる場合がある。
【０２２６】
ステップＳ３２０において、ＣＰＵ３０６は以下のように演算処理を行い、暫定本発光量ＧＮＴｅｍｐを変更する。すなわち、ステップＳ３１０またはステップＳ３７０で算出変更された撮像感度の変更量ΔＳＶに対応させて撮影時の本発光量ガイドナンバーＧＮを次式（１４）により算出する。
ＧＮ＝Ｐｏｗｅｒ√２（ＧＮＴｅｍｐ−ΔＳＶ）          ……（１４）
上式（１４）において、Ｐｏｗｅｒ√２()は、√２の引数乗を返す関数である。
【０２２７】
ステップＳ３３０において、ＣＰＵ３０６は、露光シーケンスを開始させる。具体的には、シャッタ駆動装置３０５によりシャッタ３０２の先幕走行を開始させて、ステップＳ３４０へ進む。
【０２２８】
ステップＳ３４０において、ＣＰＵ３０６は、電子閃光装置２０へ本発光指示を送信してステップＳ３５０へ進む。本発光指示として、例えば、上述した本発光起動パケットを送る。これにより、電子閃光装置２０が上述した時間情報で指定された時間の経過後に本発光を開始する。
【０２２９】
ステップＳ３５０において、ＣＰＵ３０６は、シャッタ駆動装置３０５によるシャッタ３０２の後幕走行が開始すると、撮像素子３０３から画像信号を読み出して所定の画像処理を行い、ステップＳ３６０へ進む。
【０２３０】
ステップＳ３６０において、ＣＰＵ３０６は、画像処理後の画像信号をメモリカードなどの記録媒体３５０に記録し、一連の撮影処理を終了する。
【０２３１】
上述した第３の実施の形態によれば、次の作用効果が得られる。
（１）カメラ３０は、第１露出モードおよび第２露出モードの少なくとも１つを設定可能なＣＰＵ３０６と、ＣＰＵ３０６が第１露出モードに設定されているとき、第１露出制御で撮影補助光を用いた撮影の露出の制御を行い、ＣＰＵ３０６が第２露出モードに設定されているとき、第１露出制御とは異なる第２露出制御で撮影補助光を用いた撮影の露出の制御を行うＣＰＵ３０６とを有する。これにより、自由度の高いカメラの露出制御が可能となる。例えば、第１露出制御では、ＣＰＵ３０６が第１の感度を設定して露出を制御し、第２露出モードでは、ＣＰＵ３０６が第１の感度と異なる第２の感度を設定して露出を制御する。これにより、複数通りの露出で撮影を行うことができる。
【０２３２】
（２）カメラ３０のＣＰＵ３０６は、第１露出モードに設定されているとき、第２露出モードに設定されているときよりも、主要被写体および背景が適正露出に近くなるように露出の制御を行う。これにより、複数通りの露出で撮影を行うことができる。なお。ＣＰＵ３０６は、第２露出モードに設定されているとき、第１露出モードに設定されているときよりも、背景が適正露出に近くならないように露出の制御を行ってもよい。
【０２３３】
（３）カメラ３０のＣＰＵ３０６は、撮影者による操作に基づき第１露出モードおよび第２露出モードの少なくとも１つを設定する。撮影者の意図に合わせて複数通りの露出で撮影を行うことができる。
【０２３４】
（４）カメラ３０のＣＰＵ３０６は、第１露出モードにおいて、撮影補助光を発する電子閃光装置２０が本発光する前にモニタ発光した場合の反射光量に基づき本発光時の本発光量を決定する際に第１の感度を設定することにより、本発光量を制御範囲において最小にする。本発光量を最小に抑えることによって第１の感度を高く上げることができるので、撮影補助光が届かない背景を適正露出に近づけることができる。また、第１露出モードにおいては、第２露出モードに設定された場合と比較して本発光量を小さくし、第２露出モードに設定された場合と比較して感度を高くしてもよい。第２露出モードに設定された場合と比較して撮影補助光が届かない背景を適正露出に近づけることができるからである。
【０２３５】
（５）カメラ３０のＣＰＵ３０６は、第２露出モードにおいて、撮影補助光を発する電子閃光装置２０が本発光する前にモニタ発光した場合の反射光量に基づき本発光時の本発光量を決定する際に第２の感度を設定することにより、本発光量を制御範囲において最大にする。本発光量を最大にすることによって、撮影補助光が届く主要被写体を適正露出に近づけることができる。例えば、第１露出モードにおいて、電子閃光装置２０がモニタ発光した場合の反射光量に基づいて本発光時の第１本発光量と第１の感度が決定され、第２露出モードにおいて、電子閃光装置２０がモニタ発光した場合の反射光量に基づいて本発光時の第２本発光量と第２の感度が決定される場合において、第１本発光量は第２本発光量よりも低いことが好ましい。また、第１の感度は第２の感度よりも高いことが好ましい。
【０２３６】
（６）カメラ３０のＣＰＵ３０６は、電子閃光装置２０から制御範囲の情報（最小発光量のガイドナンバー、最大発光量のガイドナンバー）を取得して第１の感度または第２の感度を決めるので、電子閃光装置２０の能力に合わせて適切に制御を行うことができる。
【０２３７】
（７）カメラ３０のＣＰＵ３０６は、第１露出モードにおいて、第１の感度を撮影準備状態における感度よりも高い感度にした。これにより、撮影補助光が届かない背景をより適正露出に近づけることができる。
また、例えば、第２撮影モードは、第１撮影モードに設定された場合と比較して背景が適正露出になるモードであってもよいし、第２撮影モードは、第１撮影モードに設定された場合と比較して主要被写体が適正露出にならなくてもよいし、第２撮影モードは、第１撮影モードに設定された場合と同様に主要被写体が適正露出になってもよい。
また、例えば、第２撮影モードは、風景を撮影する風景撮影モードと比較して背景が適正露出にならなくてもよいし、風景撮影モードと比較して主要被写体が適正露出になってもよいし、人物を撮影するポートレートモードと比較して背景が適正露出になってもよいし、ポートレートモードと比較して主要被写体がならなくてもよい。
【０２３８】
次のような変形も発明の範囲内であり、変形例の一つ、もしくは複数を上述の実施の形態と組み合わせることも可能である。
（変形例３−１）
第３の実施の形態では、主要被写体を適正露出に制御するだけでなく、なるべく背景も適正露出に近づける第１露出モードと、専ら主要被写体を適正露出に制御する第２露出モードとの切り替えを、操作部材３０７を構成する露出モード切り替えスイッチの操作によって切り替えるようにした。この代わりに、第１露出モードと第２露出モードとの切り替えを、撮影シーンモードと連動させてＣＰＵ３０６が自動で切り替えるようにしてもよい。
【０２３９】
ＣＰＵ３０６は、撮影シーンモードとして夜景ポートレートモードが選択された場合に、第１露出モードに切り替える。夜景ポートレートモードでは、人物及び背景を適正露出に制御することが好ましいという考え方に基づき、上記切り替えを行う。また、撮影シーンモードとしてポートレートモードが選択された場合に、第２露出モードに切り替える。ポートレートモードでは、人物を適正露出に制御することが好ましいからである。
【０２４０】
また、ＣＰＵ３０６は、撮影シーンモードとしてスローシンクロモードが選択された場合に、第１露出モードに切り替える。スローシンクロモードでは、背景も適正露出に近づけることが好ましいという考え方に基づき、上記切り替えを行う。
【０２４１】
さらにまた、ＣＰＵ３０６は、撮影シーンモードとして通常シンクロモードが選択された場合に、第２露出モードに切り替える。通常シンクロモードでは、背景露出は考慮しないという考え方に基づき、上記切り替えを行う。
【０２４２】
（変形例３−２）
第１露出モードと第２露出モードとの切り替えを、カメラ内蔵の電子閃光装置を発光させる場合と、上述したようにカメラ３０に対して外付け可能に構成した電子閃光装置２０を発光させる場合とで切り替えるようにしてもよい。ＣＰＵ３０６は、例えばカメラ内蔵の電子閃光装置を発光させる場合に第１露出モードに切り替え、外付けの電子閃光装置２０（電波通信や光通信によってリモート発光制御する場合を含む）を発光させる場合に第２露出モードに切り替える。
【０２４３】
一般に、カメラ内蔵の電子閃光装置は、発光量ガイドナンバーが小さいので、撮像感度を上げる感度の変更をしても構わないという考え方に基づき、上記切り替えを行う。
【０２４４】
（変形例３−３）
第１露出モードと第２露出モードとの切り替えを、多灯フラッシュ撮影システムで撮影する場合と、１灯（単灯）で撮影する場合とで切り替えるようにしてもよい。ＣＰＵ３０６は、例えば多灯フラッシュ撮影システムで撮影する場合に第２露出モードに切り替え、１灯で撮影する場合に第１露出モードに切り替える。
【０２４５】
一般に、複数の電子閃光装置が発する照明光によって露出を制御する多灯フラッシュ撮影システムの場合は、カメラにより勝手に撮像感度が変更されて欲しくないという考え方に基づき、上記切り替えを行う。
【０２４６】
（変形例３−４）
第１露出モードと第２露出モードとの切り替えを、画像認識結果を用いて切り替えるようにしてもよい。ＣＰＵ３０６は、例えば、主要被写体の背景にイルミネーション等を検出した場合に第１露出モードに切り替え、背景にイルミネーション等を検出しない場合に第２露出モードに切り替える。背景にイルミネーションがある場合は、背景も適正露出に近づけることが好ましいという考え方に基づき、上記切り替えを行う。
【０２４７】
主要被写体の背景からイルミネーション等を検出する画像認識は、例えば、測光センサ３０４によって得られる画像に基づいて行うことができる。なお、カメラ３０に、撮像素子３０３と別の測光センサ３０４を備えていない場合は、撮像素子３０３によって得られる撮影前のプレビュー画像に基づいて、背景からイルミネーション等を検出してよい。
【０２４８】
（変形例３−５）
第１露出モードと第２露出モードとの切り替えを、画像認識結果を用いて切り替える場合において、主要被写体が画面に占める割合によって切り替えを行うようにしてもよい。ＣＰＵ３０６は、例えば、主要被写体の人物が画面に占める面積比率が小さい場合に第２露出モードに切り替え、主要被写体の人物が画面に占める面積比率が小さくない場合には第１露出モードに切り替える。一般に、人物が小さい（背景が広い）場合は、撮影者が背景も撮りたい意図を有しているので、背景も適正露出に近づけることが好ましいという考え方に基づき、上記切り替えを行う。
【０２４９】
上述したように、カメラ３０のＣＰＵ３０６は、設定されている撮影シーンモードによって第１露出モードと第２露出モードとを切り替える、スローシンクロモードに設定されているか否かによって第１露出モードと第２露出モードとを切り替える、撮影補助光をカメラ内蔵の電子閃光装置から発するか外付けの電子閃光装置２０から発するかによって第１露出モードと第２露出モードとを切り替える、多灯撮影モードに設定されているか否かによって第１露出モードと第２露出モードとを切り替える、主要被写体の背景における対象物の認識結果に基づいて第１露出モードと第２露出モードとを切り替える、および、主要被写体が画面に占める割合に基づいて第１露出モードと第２露出モードとを切り替える、の少なくとも１つによって切り替えを行うことで、カメラ３０の使い勝手を向上させることができる。
【０２５０】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０２５１】
１０…マスター無線アダプタ
１０Ａ、１０Ｂ、１０Ｃ、１０Ｄ、１０Ｅ…リモート無線アダプタ
２０、２０Ａ、２０Ｂ、２０Ｃ、２０Ｄ、２０Ｅ…電子閃光装置
３０…カメラ
７２、９２…本発光タイミング
７４、８３…目標本発光量
１０１…アンテナ
１０２…通信回路
１０５、２０３、３０６…ＣＰＵ
１１０Ａ，１１０Ｂ…リモート光アダプタ
２０１…発光管
２０２…発光制御回路
３０２…シャッタ
３０７…操作部材
３０８…メモリ
３０９…表示部
３５０…記録媒体
【図１】
2020073974.tif 000003
【図２】
2020073974.tif 000004
【図３】
2020073974.tif 000005
【図４】
2020073974.tif 000006
【図５】
2020073974.tif 000007
【図６】
2020073974.tif 000008
【図７】
2020073974.tif 000009
【図８】
2020073974.tif 000010
【図９】
2020073974.tif 000011
【図１０】
2020073974.tif 000012
【図１１】
2020073974.tif 000013
【図１２】
2020073974.tif 000014
【図１３】
2020073974.tif 000015
【図１４】
2020073974.tif 000016
【図１５】
2020073974.tif 000017
【図１６】
2020073974.tif 000018
【図１７】
2020073974.tif 000019
【図１８】
2020073974.tif 000020